(57)【特許請求の範囲】
【請求項１】
所定数の遊技球の発射を単位遊技とし、該単位遊技における複数の入球領域への遊技球の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
前記遊技制御手段は、
前記複数の入球領域のいずれかに遊技球が入球したときに、該入球した入球領域に応じた前記識別情報を表示するための表示コマンドを前記表示制御手段に送信する表示コマンド送信手段と、
前記表示コマンドの送信後、該表示コマンドの送信契機となった入球領域に遊技球が入球したときに、前記表示コマンドを前記表示制御手段に再び送信する表示コマンド再送信手段と、
前記入球領域への遊技球の入球数を累計する入球数累計手段と、
当該遊技機の作動電源の供給が停止した後であって、該作動電源の供給が復帰した場合に、該作動電源の供給が停止したときに表示されていた前記識別情報に対応する前記表示コマンドとともに、前記入球数累計手段により累計された前記入球数に関する入球数コマンドを前記表示制御手段に送信する電断復帰時コマンド送信手段と、を備え、
前記表示制御手段は、
前記表示コマンドを受信するたびに、前記複数の入球領域への入球数の累計を算出する入球数算出手段を備えることを特徴とする遊技機。
【発明の詳細な説明】
【０００１】
【発明の属する技術分野】
本発明は、アレンジボール遊技機に関する。
【０００２】
【従来の技術】
パチンコ機と通称される遊技機には組合せ式弾球遊技機（アレンジボール遊技機）と呼ばれる機種の一群がある。これは、例えば１ゲームで１６個の遊技球を発射することができ、遊技盤の流下経路上に設けられた入球口や、盤面下部の前面側に１〜１６までの数字が記されたケース内の入球口に直接入る毎に、該ケースの該当数字部分が点灯し、これが１ゲーム内で予め定められた組合せで点灯すれば、その組合せに応じた得点が付与され、総得点に基づき相当数の遊技球やコイン等の払出しが行われる。
【０００３】
【発明が解決しようとする課題】
上記のような組合せ式弾球遊技機では、入球による上記数字点灯が遊技者の利益に大きく関わるため、該点灯の表示制御を正確に行う必要がある。本発明の課題は、組合せ式弾球遊技機等の遊技機において、入球に対する表示に関して正確を期する制御を行うことにより、遊技者に識別情報の表示と賞態様との対応関係を正確・確実に認識させることができ、遊技者にとって安心して遊技を行うことが可能な遊技機を提供することにある。
【０００４】
【課題を解決するための手段及び発明の効果】
上記課題を解決するために、本発明の遊技機は、
所定数の遊技球の発射を単位遊技とし、該単位遊技における複数の入球領域への遊技球の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
前記遊技制御手段は、
前記複数の入球領域のいずれかに遊技球が入球したときに、該入球した入球領域に応じた前記識別情報を表示するための表示コマンドを前記表示制御手段に送信する表示コマンド送信手段と、
前記表示コマンドの送信後、該表示コマンドの送信契機となった入球領域に遊技球が入球したときに、前記表示コマンドを前記表示制御手段に再び送信する表示コマンド再送信手段と、
前記入球領域への遊技球の入球数を累計する入球数累計手段と、
当該遊技機の作動電源の供給が停止した後であって、該作動電源の供給が復帰した場合に、該作動電源の供給が停止したときに表示されていた前記識別情報に対応する前記表示コマンドとともに、前記入球数累計手段により累計された前記入球数に関する入球数コマンドを前記表示制御手段に送信する電断復帰時コマンド送信手段と、を備え、
前記表示制御手段は、
前記表示コマンドを受信するたびに、前記複数の入球領域への入球数の累計を算出する入球数算出手段を備えることを特徴とする。
【０００５】
このような遊技機によると、入球数累計手段により単位遊技における入球領域への入球数が累計され、例えば電断等の電源供給異常が発生した場合、その異常発生時の入球数を確認することが可能となり得る。電断復旧時には、例えば識別情報表示コマンドを送信し、その後、入球数コマンドを送信することで、異常発生時の入球数を表示制御手段も確認可能となり、該異常発生時の復旧を確実に行うことが可能となり得る。
【０００６】
また、このような遊技機では、
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
送信側制御部としての前記遊技制御手段から送信され単位遊技を開始するための遊技開始コマンド、前記識別情報を表示させるための識別情報表示コマンド、全入球領域への前記遊技媒体の入球数を累計する入球数累計手段にて累計された入球数に関する情報に係る入球数コマンド、前記単位遊技の終了時に全ての識別情報を非表示とするための全識別情報表示解除コマンドその他の表示制御信号を、受信側制御部としての前記表示制御手段において予め定められた時期に受信できなかった場合には、エラー検出を行うことができる。
このような遊技機によると、送信側制御部としての遊技制御手段から送信される遊技開始コマンド、識別情報表示コマンド、入球数コマンド、全識別情報表示解除コマンド等の表示制御信号（表示制御コマンド）が、受信側制御部としての表示制御手段において予め定められた時期に受信できなかった場合に、エラー検出を行うものとすることができる。なお、遊技開始コマンドは、単位遊技の開始時に遊技制御手段から表示制御手段に送信されるものである。
具体的には、表示制御手段において上記識別情報表示コマンドを受信する前に全識別情報表示解除コマンドを受信した場合にエラー（異常）発生とすることができる。すなわち、任意の単位遊技において識別情報を表示する前に、識別情報の表示を解除するコマンドが受信されたためにエラー（異常）と判定され、この場合のエラー処理としては、例えばランプ、表示、音声等の報知手段によりエラー報知を行い、当該遊技機への電源供給を断った後、又は次回の単位遊技を正常に終了した場合に、エラーが回復されるものとされている。
【０００７】
また、表示制御手段において上記遊技開始コマンドを受信する前に、全識別情報表示解除コマンドを受信した場合にエラー（異常）発生とすることができる。さらに、遊技開始コマンドを受信した後であって、識別情報表示コマンドを受信する前に全識別情報表示解除コマンドを受信した場合にエラー（異常）発生とすることができる。この場合のエラー処理としては、例えばランプ、表示、音声等の報知手段によりエラー報知を行い、当該遊技機への電源供給を断った後、又は次回の単位遊技を正常に終了した場合に、エラーが回復されるものとされている。
【０００８】
次に、単位遊技において、表示制御手段が遊技開始コマンド及び識別情報表示コマンドを受信した後であって、全識別情報表示解除コマンドを受信する前に、遊技開始コマンド（次の遊技開始コマンド）を受信した場合にエラー（異常）発生とすることができる。すなわち、表示された識別情報の表示解除（例えば消灯）が行われる前に、次の単位遊技に入るための遊技開始コマンドが受信されたためにエラー（異常）と判定され、この場合のエラー処理としては、例えばランプ、表示、音声等の報知手段によりエラー報知を行い、当該遊技機への電源供給を断った後、又は次回の単位遊技を正常に終了した場合に、エラーが回復されるものとされている。
【０００９】
また、単位遊技において、表示制御手段が遊技開始コマンドを受信した後であって、識別情報表示コマンド及び全識別情報表示解除コマンドを受信する前に、遊技開始コマンド（次の遊技開始コマンド）を受信した場合にエラー（異常）発生とすることができる。この場合のエラー処理としては、例えばランプ、表示、音声等の報知手段によりエラー報知を行い、当該遊技機への電源供給を断った後、又は当該単位遊技若しくは次回の単位遊技を正常に終了した場合に、エラーが回復されるものとされている。
【００１０】
さらに、単位遊技において（前の単位遊技の全識別情報表示解除コマンドが受信された後）、表示制御手段が遊技開始コマンドを受信する前に、識別情報表示コマンドを受信した場合にエラー（異常）発生とすることができる。この場合のエラー処理としては、例えばランプ、表示、音声等の報知手段によりエラー報知を行い、当該遊技機への電源供給を断った後、又は遊技開始コマンドを正常に受信した場合に、エラーが回復されるものとされている。
【００１１】
次に、本発明の遊技機の異なる構成として、
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
前記遊技制御手段には、前記識別情報を表示させるための識別情報表示コマンドを前記各識別情報と対応させて記憶するコマンド記憶手段が備えられていることを特徴とする。
【００１２】
このような遊技機によると、遊技制御手段において、識別情報を表示させるための識別情報表示コマンドが各識別情報と対応付けして記憶されているため、表示に関連する制御が簡便且つ正確となり得る。また、前記各入球領域と対応させて識別情報表示コマンドを記憶させておくことで、入球のあった入球領域に対応する識別情報表示コマンドを正確に読み出すことが可能となり得る。具体的には、入球領域に入球があった場合に、該入球領域の入球に関連した識別情報を表示するために、識別情報表示コマンドをコマンド記憶手段から読み出す場合において、識別情報表示コマンドが各識別情報と対応付けして記憶されているため、確実に入球のあった入球領域に関連した識別情報の表示コマンドを読み出すことが可能となる。したがって、識別情報の表示を正確且つ迅速に行うことが可能となり、識別情報の組合せに基づき賞態様が決定される遊技機（例えば組合せ式弾球遊技機等）において、遊技者に識別情報の表示と賞態様との対応関係を正確・確実に認識させることができ、遊技者にとって安心して遊技を行うことが可能な遊技機を提供することが可能となり得る。
【００１３】
前記遊技制御手段には、前記入球領域への前記遊技媒体の入球に基づき、該入球のあった入球領域に対応する識別情報を表示させるための識別情報表示コマンドを前記コマンド記憶手段から読み出すコマンド読出手段と、読み出した識別情報表示コマンドを前記表示制御手段に送信する識別情報表示コマンド送信手段とが備えられているものとすることができる。この場合、識別情報を表示するためのコマンドを遊技制御手段から表示制御手段に送信可能とされている。このようなコマンド読出手段、識別情報表示コマンド送信手段により、遊技制御手段から表示制御手段に対して、入球のあった入球領域に対応する識別情報の表示コマンドが迅速且つ正確に送信されるようになり、該識別情報の組合せに基づき賞態様が決定される遊技機（例えば組合せ式弾球遊技機等）において遊技者に識別情報の表示と賞態様との対応関係を正確・確実に認識させることができるようになり得る。
【００１４】
前記識別情報表示コマンド送信手段は、前記単位遊技において入球のあった入球領域に対応する識別情報表示コマンドを入球毎に逐一送信することを特徴とする。このような送信手段により、入球のあった入球領域に対応する識別情報表示コマンドを逐一送信するため、受信側の表示制御手段において当該単位遊技における入球数の累計を算出することが可能となり得る。例えば、単位遊技の開始時に遊技制御手段から表示制御手段に遊技開始コマンドが送信されるものとされ、表示制御手段においては該遊技開始コマンドの受信後、識別情報表示コマンドを受信する毎に入球数を「１」加算し、例えば１６個（上限値）の入球数に達した場合に、全ての識別情報表示コマンドを正常に受信したことを識別することが可能となり得る。したがって、例えば単位遊技における入球数の上限値以上の識別情報表示コマンドに関してエラー処理を行ったり、その入球を無視して表示制御したりすることが可能となり、例えば遊技制御手段、表示制御手段等に不正を行って故意に遊技球を獲得する等のいわゆるゴト行為を防止ないし抑制することが可能となり得る。また、上記の場合において、例えば遊技開始コマンドの受信後、入球数が１６個（上限値）に達する前（受信した識別情報表示コマンドの合計数が１６個に達する前）に、当該単位遊技の終了を示すコマンド（例えば全図柄消灯コマンド等）を受信した場合、若しくは次の単位遊技の遊技開始コマンドを受信した場合にエラー（異常）発生とすることができる。この場合、エラー処理として電断処理を行い、その後再び電源を立ち上げることでエラー解除するものとすることができる。
【００１５】
上記遊技機においては、電断のあった単位遊技においてその電断時までに一の入球領域に複数の入球があった場合にも、電断復帰時において表示制御手段に送信される識別情報表示コマンドが１つのみである。したがって、電断復帰後の当該単位遊技において上限値（１６個）の識別情報表示コマンドが表示制御手段において受信されない問題が生じ、その識別情報表示コマンド未受信に起因してエラー（異常）発生となり、エラー処理が行われてしまう場合がある。そこで、停電発生等による電断時において、電源を復旧する場合に、電断復帰を知らせるための電断復帰コマンドが遊技制御手段から表示制御手段に送信されるものとすることができる。さらに、表示制御手段において、該電断復帰コマンドを受信した場合に、識別情報表示コマンド未受信に起因するエラー（異常）発生を無視する処理を行う、若しくはそれに起因するエラー（異常）処理を行わない処理を行うエラー放置処理手段が備えられているものとすることができる。これにより、電断復帰後の識別情報表示コマンド未受信に起因するエラー発生若しくはエラー処理が行われないものとなり、より正確な遊技制御を行うことが可能となり得る。
【００１６】
一方、前記遊技制御手段には、前記単位遊技において一度送信した識別情報表示コマンドを再び送信しないものとする送信禁止制御手段が備えられているものとすることができる。このような送信禁止制御手段によると、例えば同一の単位遊技において一度入球した入球領域に再び入球があった場合に、その識別情報表示コマンドが再送信されないため、送信側制御部たる遊技制御手段における送信に係る処理数が減るとともに、受信側制御部たる表示制御手段において受信するコマンド数が減るために処理効率が向上する。すなわち、送信側制御部において、コマンドの再送信を禁止してコマンドの送信数を減らすことにより、コマンド送信に係る制御を単純化することが可能となり得る。
【００１８】
前記遊技制御手段には、前記単位遊技の終了時に、全ての識別情報を非表示とするための全識別情報表示解除コマンドを前記表示制御手段に送信する全識別情報表示解除コマンド送信手段が備えられているものとすることができる。この場合、全識別情報表示解除コマンドは、遊技制御手段、表示制御手段のいずれにも備えるものとすることができる。このように全識別情報の表示を解除する（具体的には、点灯している情報を消灯する）コマンドを送信し、単位遊技の終了時に全識別情報の表示を解除することで、遊技者にとって単位遊技の終了が認識し易くなるとともに、次の単位遊技に識別情報の表示が持ち越される等の不具合が生じ難くなり得る。
【００１９】
次に、本発明の遊技機の異なる構成は、
所定数の遊技媒体の発射を単位遊技とし、該単位遊技における複数の入球領域への遊技媒体の入球に関連した識別情報を表示し、該識別情報の組合せに基づき賞態様を決定する遊技機において、
遊技の制御を司る遊技制御手段と、前記識別情報の表示に関連する制御を行う表示制御手段とを備え、
前記遊技制御手段には、前記単位遊技の遊技状態を示す遊技状態コマンドを前記表示制御手段に送信する遊技状態コマンド送信手段が備えられていることを特徴とする。
【００２０】
このような遊技機においては、遊技制御手段から送信される遊技状態コマンドにより、表示制御手段が単位遊技の遊技状態を把握可能となる。すなわち、表示制御手段に送信される遊技状態コマンドが、単位遊技の遊技状態を反映したコマンドとされており、該遊技状態コマンドを受信した表示制御手段が遊技状態を管理することが可能となる。具体的には、遊技状態コマンドは例えば前記単位遊技の開始及び／又は終了を示すコマンドを少なくとも含むものとすることができる。この場合、該単位遊技の開始及び／又は終了を表示制御手段にて把握可能となり、単位遊技における各種コマンド（例えば上述した識別情報表示コマンド、入球数コマンド、全識別情報表示解除コマンド）の取りこぼしを容易に検出することが可能となり得る。すなわち、単位遊技の開始から終了までに受信すべき上記各種コマンドが受信されたか否かを容易に把握可能となり得る。なお、遊技状態コマンドは、例えば単位遊技の開始から立ち上がる立上り信号であって、当該単位遊技の継続中は常に立上りを継続し、単位遊技の終了時に立ち下がるものとすることができ、該単位遊技の終了後、所定の遊技確認時間を経た後に再び立ち上がるものとすることができる。
【００２１】
次に、本発明の遊技機には以下のような態様を付加することができる。
（第１の付加態様）
始動検知装置における遊技媒体の検知に基づき、１ないし複数の図柄を可変表示する可変表示装置と、
前記可変表示装置において前記図柄が特定の表示態様で確定表示された場合に、遊技者にとって相対的に有利な状態に変化する第１変動入球装置と、
前記第１変動入球装置へ入球した前記遊技媒体を、特定入球領域あるいは非特定入球領域のいずれかに誘導可能な誘導装置と、
前記特定入球領域への遊技媒体の入球に基づき、前記賞態様が通常状態よりも遊技者にとって相対的に有利となる特別遊技状態を発生させる特別遊技発生装置と、
前記特別遊技状態中に、役物作動用検知装置における遊技媒体の検知に基づき、遊技者にとって相対的に有利な状態に変化する第２変動入球装置と、
前記第２変動入球装置への有効な入球に基づき、前記賞態様を遊技者にとって相対的に有利とすることが可能な賞態様増加装置と、
を備えるものとすることができる。
【００２２】
可変表示装置における図柄の表示態様に基づき第１変動入球装置が入球有利な状態となり、第１変動入球装置に入球した遊技球が特定入球領域に入球すると特別遊技状態が発生する。ここで、遊技媒体は特定入球領域へは誘導装置により誘導されるが、その誘導装置は特定入球領域あるいは非特定入球領域のいずれかに誘導可能とされているため、いずれの領域に誘導されるかという不確定な要素により、遊技者に対して高い遊技興趣を付与することが可能となり得る。すなわち、本発明の遊技機においては、特定入球領域あるいは非特定入球領域のいずれに遊技媒体が入球するかは、第１変動入球装置への遊技媒体の入球態様ないし誘導装置への遊技媒体の入球態様によって異なるものとされている。一方、本発明の遊技機は、遊技者に高い遊技興趣を付与することが可能となり得るため、遊技店にとって遊技機の稼働率を向上させることが可能となり得る。なお、上記始動検知装置は、始動入球装置又は始動通過装置に設けられた遊技媒体検知スイッチとすることができ、役物作動用検知装置も、役物作動用入球装置又は役物作動用通過装置に設けられた遊技媒体検知スイッチとすることができる。このような構成を上記遊技制御手段及び表示制御手段を備えた遊技機に付加することにより、遊技者に対して高い遊技興趣を付与しつつ、単位遊技における識別情報の表示に係る制御を正確に行うことが可能となり遊技者に対して信頼の高い遊技機を提供することが可能となり得る。
【００２３】
（第２の付加態様）
上記遊技機に備えられた全ての遊技装置の作動が終了した後に、次の単位遊技に進むことを特徴とする。すなわち、上記遊技機に備えられた全ての遊技装置の作動が終了した後に、上記全識別情報表示解除コマンドが送信されるものとすることができる。このような遊技機によると、当該単位遊技において作動を開始した遊技装置の作動が、次の単位遊技に跨って作動することがなくなり、単位遊技の開始契機及び終了契機が明確となり、単位遊技毎に遊技者は自分の利益又は不利益を確認できる。
【００２４】
（第３の付加態様）
遊技領域に発射又は発射とみなされた遊技媒体の数（発射数）に基づいて、前記可変表示装置における図柄の可変表示パターンを決定する可変表示パターン決定手段を備えていることを特徴とする。例えば、発射数が多いとき、すなわち単位遊技における発射可能な遊技媒体が上限値に近い場合（例えば上限値の２，３個前の場合、あるいは上限値の半分、若しくはそれよりも多い場合）には、可変表示時間の相対的に短い図柄変動表示パターンが選択されるように制御されるので、時間効率がよくなり当該遊技機の稼働率が向上し、遊技店の売上向上に寄与することが可能となり得るとともに、次の単位遊技に移行するまでの待ち時間が減るために、待つことによる遊技者の苛立ち、ストレスを減少させることが可能となり得る。
【００２５】
（第４の付加態様）
遊技制御を司る主制御部（遊技制御手段）と、該主制御部からの指令に基づき動作する副制御部（払出制御手段、表示制御手段）とを備えるものとすることができる。このように遊技の制御を、主制御部と副制御部に分けて行うことで、組合せ式弾球遊技機等における遊技制御を効率よく行うことが可能となる。また、１つの制御部によって遊技制御を行う場合に比して、１つの制御部にかかる制御負担が軽減される。なお、主制御部が、上記指令を所定の時間間隔をおいて出力し、副制御部が、その指令により任された範囲で制御態様を選択して遊技制御を成立させるものとすれば、主制御部の制御負担が一層軽減される。
【００２６】
また、前記主制御部及び／又は副制御部は、電源部から電力の供給を受けて作動し、該電源部は、少なくとも停電等の電源遮断時に前記主制御部及び／又は副制御部におけるＲＡＭデータを補償するバックアップ電源部を含むものとすることができる。このように、バックアップ電源部を電源部に具備させることで、停電等の電源遮断時においても賞態様に関するデータ（例えば賞球データや得点データ）等が補償されるようになる。
【００２７】
さらに、前記主制御部又は副制御部には、該主制御部又は副制御部の制御に関する情報の全部又は一部を当該遊技機外部に出力することが可能な情報出力手段が設けられているものとすることができる。この場合、遊技機外部において遊技機の状態を容易に把握することが可能となり、第三者検査機関等による遊技機検査を簡便に行うことが可能となる。したがって、遊技機検査に係る期間を短縮することができ、ひいては新規遊技機の開発に係る期間をも短縮することができるようになる。
【００２８】
【発明の実施の形態】
以下、本発明の実施の形態を図面に示す実施例を参照しつつ説明する。
まず、組合せ式遊技機としてのアレンジボール遊技機（単に遊技機とも言う）１の構造を図１及び図２を参照して説明する。
【００２９】
遊技機１の前面部は、本体枠２と、中枠３と、前面枠４と、上皿部５と、下皿部６と、施錠装置７とから構成されている。本体枠２は、木製の板状体を略長方形の額縁状に組立て固着したものである。中枠３は、全体がプラスチック製で、枠体部（図示略）と下板部（図示略）とを有し、本体枠２に対して開閉可能に軸支されている。中枠３の右端中央には施錠装置７が設けられ、施錠装置７は、正面視すると鍵穴を備えた略長方形状を呈し、前面枠４を閉鎖した場合に施錠するためのものである。
【００３０】
ここで枠体部は、上端から下方へ中枠３全体の略２／３程度に略長方形の額縁状に形成され、上端部には、前面枠４の略三角形状の枠飾りＬＥＤ用レンズ４ｃ，４ｅに対応して、左側に賞球表示ＬＥＤ（図示略）及び賞球表示ＬＥＤ基板４ｄ（図５参照）が、右側にストップ表示ＬＥＤ（図示略）及びストップ表示ＬＥＤ基板４ｆ（図５参照）が配設されている。
【００３１】
また、下板部は、下端から上方へ中枠３全体の略１／３程度を占め、左端には、上皿部５に形成されたスピーカー面５ａに対応すべく、遊技状態に応じた効果音その他の音（音声）を発生させるスピーカー４００ａ（図４参照）が配設され、略中央には、遊技球を発射する発射装置ユニット８（図２参照）に対し、上皿部５に貯留された遊技球を供給する球送り装置等（図示略）が設けられている。
【００３２】
さらに、下板部の下方には、灰皿や玉抜きレバー等を備えた下皿部６が設けられ、下皿部６の略中央には、遊技機１の内部から遊技球を排出するための排出口６ａが開設され、右端に発射装置ユニット８（図２参照）を操作する発射ハンドル９が設けられている。また、この発射ハンドル９には、遊技者がタッチしていることを検出するタッチスイッチ９ａが装着され、その近傍には、遊技者が操作して発射停止を一時的に指令する発射停止スイッチ９ｂが配置されている。
【００３３】
前面枠４は、全体がプラスチック製であり、遊技盤１０を前方から視認するべく、遊技盤１０に形成された遊技領域１１の形状に対応して上側が略円弧状を呈し、全体が略弾丸形状に開設された開口部４ａを有している。そして、その裏面には、開口部４ａに応じてガラス板等の透明板が嵌められた略長方形状の透明板枠（図示略）が装着されている。また、この前面枠４は、遊技機１の前面全体の約２／３のサイズを占め、中枠３の左端に軸着され開閉可能に形成されている。さらに、上端部には、枠飾りランプ用レンズ４ｂも設けられ、このレンズ４ｂ内部には、開口部４ａ上端の円弧部分に沿って、枠飾りランプ基板（遊技効果ランプ基板）４ｇ（図５参照）及び複数個の遊技効果ランプ（図示略）が配設されている。
【００３４】
上皿部５は、前面枠４の下側で、中枠３の左端に軸着され開閉可能に形成されている。皿外縁部５ｂには、玉抜きボタンや遊技球の貸出・返却ボタン等が配設されている。また、上皿部５には、遊技機１の内部から遊技球を排出するための排出口５ｃが開設されている。左端には、複数の長孔を有するスピーカー面５ａが形成され、その裏面には、音量スイッチ基板１２（図４参照）が設けられている。遊技機１の左端側には、プリペイドカードユニット１３（ＣＲユニット）が装着されている。
【００３５】
また、上皿部５の奥（裏側）にはファール球センサ１９７（図８及び図２２参照）が設けられ、これは発射装置ユニット８（図２参照）から発射された遊技球が、遊技領域１１まで達せず、外レール１０ｃ（図２２参照）から下皿部６に戻ってきた遊技球を検知するためのセンサである。さらに上皿部５の奥（裏側）には槌先球検知スイッチ９４（図８及び図２２参照）及び球送りカウントスイッチ９５（図８及び図２２参照）が設けられ、これらは発射された遊技球又は上皿部５から発射装置ユニット８（図２参照）に送られた遊技球をそれぞれ検知するためのスイッチであり、該スイッチ９４,９５からの検知情報及びファール球センサ１９７からの検知情報により、遊技領域１１に発射された発射球数（有効発射球数）が１６個とカウントされた場合には、１ゲーム（単位遊技）の終了となる（詳細については後述する）。
【００３６】
次に、前面部に形成される遊技盤１０の表面構造について説明する。遊技盤１０は、略長方形の木製の板状体であって中枠３に保持されるとともに、裏機構盤１０２（図２参照）によりその背面側が覆われている。遊技盤１０には、遊技盤１０の表面に設けられた外レール１０ｃと内レール１０ｄとにより略円形状の遊技領域１１が形成され、遊技領域１１内には、始動検知装置としての誘導図柄作動ゲート１６と、可変表示装置としての誘導図柄表示装置１７と、第１変動入球装置としての役物作動口（特定入球口）２１と、遊技球を特定入球領域としての誘導増加装置作動領域１９ａへ誘導可能な誘導装置（誘導役物又は振分装置とも言う）２０ａと、役物作動用検知装置としての役物誘導装置作動ゲート２６と、第２変動入球装置としての役物作動口（得点増加装置作動口）２３と、１６個の入球領域が相互隣接して配置された１６連入球口２４と、１６連入球口２４の各入球領域に該当する識別情報を点灯表示する入球図柄表示装置（識別情報表示装置）２５と、多数の障害釘（図示略）等が配設されている。
【００３７】
誘導図柄作動ゲート１６は、遊技領域１１の中央から左半面側の上方に配置され、内部に誘導図柄作動口入球（ゲート通過）検知スイッチ１６ｄ（図３参照）を備えている。この入球検知スイッチ１６ｄにおいて遊技球が検知されると、誘導図柄表示装置１７において複数の図柄の可変表示が開始される。
【００３８】
誘導図柄表示装置１７は、遊技領域１１の中央よりも左半面側で前記誘導図柄作動ゲート１６の下側に配置され、例えば３つの表示領域、すなわち左図柄表示領域、中図柄表示領域、右図柄表示領域（図示略）を備え、それぞれ複数の図柄を可変停止表示することが可能とされている。誘導図柄表示装置１７において、例えば、図柄が「７、７、７」の３桁同一図柄で揃って停止表示（確定表示）すると、役物誘導装置が作動し、役物作動口（特定入球口）２１が開放される。なお、役物誘導装置は主制御部１４０（図３参照）を主体として構成され、役物作動口（特定入球口）２１又は役物作動口（得点増加装置作動口）２３の状態を変化させる特別の装置を言う。
【００３９】
役物作動口（特定入球口）２１は、遊技領域１１の中央上部に配置されており、一対の可動片２１ａ，２１ｂを備え、この可動片２１ａ，２１ｂが左右に作動（開放）することにより、遊技者にとって入球有利な開放状態となる。また、内部に役物作動口入球検知スイッチ２１ｃ（図７参照）を備えており、この入球検知スイッチ２１ｃにおいて遊技球が検知されると、誘導増加装置作動領域（特定入球領域）１９ａへの入球が有効となる。なお、役物作動口（特定入球口）２１に開閉板を配設し、その開閉板の遊技領域１１の前後方向への作動（開放）に基づき、役物作動口（特定入球口）２１を開放状態とすることも可能である。
【００４０】
役物作動口（特定入球口）２１に入球した遊技球は、該役物作動口（特定入球口）２１の下方に配設されたセンター役物あるいは中央装置たる誘導装置（振分装置）２０ａに誘導される。誘導装置２０ａは、いわゆるクルーンと呼ばれる凹状の役物であって、底部に３つの穴が形成され、このうち遊技盤１０に向かって手前側に形成された１つの穴が誘導増加装置作動領域（特定入球領域）１９ａで、奥側に形成された２つの穴が非作動領域（非特定入球領域：排出口とされている／作動領域外領域）１９ｂとされている。ここで、誘導増加装置作動領域１９ａに遊技球が入球し、内部に設けられた誘導増加装置作動領域通過検知スイッチ１９ｄ（図７参照）に検知されると、誘導増加装置が作動し、通常状態よりも遊技者にとって相対的に有利な特別遊技状態が発生する（特別遊技権利を取得するとも言う）。なお、誘導増加装置とは、主制御部１４０（図３参照）を主体として構成され、遊技状態を変化させる特別の装置のことを言う。
【００４１】
役物誘導装置作動ゲート２６は、遊技領域１１の中央から右半面側の上方に配置され、内部に役物誘導装置作動ゲート通過検知スイッチ２６ａ（図７参照）を備えている。上記特別遊技状態の発生中に、該作動ゲート通過検知スイッチ２６ａにおいて遊技球が検知されると、役物作動口（得点増加装置作動口）２３が開放される。
【００４２】
役物作動口（得点増加装置作動口）２３は、遊技領域１１の中央から右半面側であって上記役物誘導装置作動ゲート２６の下方に配置され、一対の可動片２３ａ，２３ｂを備え、その可動片２３ａ，２３ｂが遊技領域１１の左右方向へ作動（開放）することに基づき、遊技者にとって入球有利な開放状態となる。また、内部に役物作動口入球検知スイッチ２３ｃ（図７参照）を備え、該入球検知スイッチ２３ｃに遊技球が検知されると、入球図柄表示装置２５の所定の識別情報（概ね入球困難な入球領域に対応した識別情報）が点灯表示されるとともに、得点増加装置（賞態様増加装置）が作動する。なお、遊技領域１１の前後方向に開放可能な一枚の開閉板を配設し、その開閉板の作動に基づき、役物作動口（得点増加装置作動口）２３を開放状態とすることも可能である。
【００４３】
１６連入球口２４は、遊技領域１１の最下部に配置され、その前方側には、入球図柄表示装置（識別情報表示装置）２５が配設されている。１６連入球口２４の内部には、それぞれ１６連入球検知スイッチ２５ａ（図３参照）が設けられ、該検知スイッチ２５ａに遊技球が検知されると、その入球領域に該当する入球図柄表示装置２５の識別情報（数字ランプ）が点灯表示される。なお、遊技機１においては、遊技球１６個の発射を単位遊技として、その１６個において点灯表示された識別情報の組合せに基づき賞態様が決定される。例えば、４つの連続した数字ランプが連続して点灯表示されると得点１が付与され、該１点につき１６個の賞球又は相当数の賞メダルが払い出される。また、ＩＣカード等に得点又は賞球数若しくは賞メダル数が蓄積されるものもある。なお、入球図柄表示装置（識別情報表示装置）２５は、例えば７セグメントＬＥＤ、ドットマトリクス又は液晶（ＬＣＤ）で構成することも可能で、この場合、上記検知スイッチ２５ａに遊技球が検知されると、その入球領域に該当する入球図柄表示装置（識別情報表示装置）２５の７セグメントＬＥＤ、ドットマトリクス又は液晶（ＬＣＤ）の表示画面上において識別情報（数字）が表示される。
【００４４】
次に、本実施例の遊技機１の裏面構造について図２を参照して説明する。前面枠４（図１参照）は中枠３にあって、前面枠４の上下端の位置に設けられた一対のヒンジ１０１により、開閉可能に支持されている。裏機構盤１０２は中枠３にあって裏機構盤１０２の上下端の位置に設けられた一対のヒンジ１０３により、開閉可能に支持されている。遊技盤１０（図１参照）は中枠３の表面側に着脱可能に取り付けられている。上端側にあるヒンジ１０１の配設位置からみて左側には、タンク球切れ検知スイッチ１０４をタンク底部に備えた賞球タンク１０５と、この賞球タンク１０５に接続されるタンクレール１０６とが取り付けられている。また、タンクレール１０６の右側には、球抜きレバー１０７が設けられ、その下流側には、補給球切れ検知スイッチ１０８が、さらに、その下流側には、賞球払出装置１０９が配設されている。
【００４５】
続いて、遊技球の振り分け部１１０が賞球払出装置１０９の下流側に設けられている。タンクレール１０６の下側には、誘導図柄表示装置１７（図１参照）における表示盤（液晶表示盤又は７セグメントＬＥＤ表示盤）を格納した蓋付きの裏ケース１１１が設けられ、この裏ケース１１１の下側には、後述する主制御部１４０（図３参照）として、主制御基板３４０（図３参照）を格納した主制御基板ケース１１２が設けられている。主制御基板ケース１１２の左側には、発射制御部２０１ａ（図３参照）として発射装置制御基板２０１（図３参照）を格納した発射装置制御基板ケース１１３、及び発射制御集合中継基板１１６が設けられている。裏機構盤１０２の左下方部には、上述した発射装置ユニット８が、同じく右下方部には、賞球制御部（払出制御部）１５０（図３参照）として、補給球詰まり、下皿部満タン、主電源電圧異常、発射停止、主制御基板通信異常、賞球モータ異常などを７セグメントＬＥＤで表示する枠状態表示器１１７を備えた賞球制御基板３５０（図３参照）を格納した枠制御基板ケース（賞球制御基板ケース）１１８が設けられている。
【００４６】
一方、裏機構盤１０２の右上端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた枠用外部端子基板１２２が設けられている。また、外部からの電力の供給を受けるための電源ケーブル１２３も枠用外部端子基板１２２の下側に配設されている。賞球制御基板３５０（図３参照）を格納した枠制御基板ケース１１８からは接続ケーブル１２４が上方へ延出し、電源ケーブル１２５を備えたプリペイドカードユニット（ＣＲユニット）１３に接続されている。また、裏機構盤１０２の略中央下端部には、下皿部用球通路部材１２６が設けられている。
【００４７】
次に、本実施例の遊技機１の電子制御装置１３０について、図３を参照して説明する。まず、電子制御装置１３０は、主制御部（遊技制御部）１４０と、その主制御部１４０に接続された賞球制御部（払出制御部）１５０、図柄表示装置制御部（図柄制御部）１６０、ランプ出力装置制御部（ランプ制御部）１７０及び音声出力装置制御部（音声制御部）１８０を含んで構成されている。主制御部１４０は、主制御基板３４０を備え、主制御部１４０以外の上記４つの制御部１５０，１６０，１７０，１８０はそれぞれ副制御部として構成され、副制御基板たる賞球制御基板（払出制御基板）３５０、図柄表示装置制御基板３６０、ランプ出力装置制御基板３７０、音声出力装置制御基板３８０を備えている。
【００４８】
主制御基板３４０は、図１４に示すＣＰＵ４０１を含み、該ＣＰＵ４０１はＣＰＵコア４８０を備え、ＲＯＭ４８２に格納された制御プログラムにより、ＲＡＭ４８１をワークエリアとして遊技機１全体の作動制御（すなわち、遊技の基本進行制御）を司る。また、ＲＯＭ４８２に記憶された当否判定プログラムにより、ＣＰＵ４０１が主体となって当否判断制御等を行う（当否判定手段）。
【００４９】
図３に戻り、主制御部１４０は、各副制御部１５０，１６０，１７０，１８０へ処理内容を指示する、指令信号たるコマンドデータを送信する。なお、主制御部１４０から各副制御部１５０，１６０，１７０，１８０へは、一方向形式でデータが伝送される。また、各制御部１４０〜１８０には、主電源１２９と接続された電源受電基板１２８から電源ユニット１２７、さらには電源中継基板１２１を介して電源が供給されており、後述する電源立上げ時のシステムリセット信号が電源中継基板１２１を介して全制御部に送信される。
【００５０】
また、主制御部１４０には１６連スイッチ中継基板３１、中継基板２００、誘導図柄作動口入球（ゲート通過）検知スイッチ１６ｄ、枠用外部端子基板１２２、枠中継基板２００ｂが接続されている。１６連スイッチ中継基板３１には１６連入球検知スイッチ２５ａが接続され、該１６連入球検知スイッチ２５ａからの検知信号が主制御部１４０に送信される。なお、主制御部１４０には、遊技機外部の試験装置（検査装置）８０７に遊技情報（制御情報を含む）を出力するための情報出力部が設けられている。具体的には、図２０に示すように、主制御基板３４０には遊技情報出力回路部３４７と変換回路部３４１と出力コネクタ３４２とが設けられている。遊技情報出力回路部３４７から出力される遊技情報は、変換回路部３４１にて試験装置８０７が読取り可能な情報に変換され、その変換された遊技情報がコネクタ３４２を介して試験装置８０７に出力される。この場合、試験装置８０７からのハーネスをコネクタ３４２に接続するのみで、当該主制御部１４０の制御内容を試験装置８０７に出力可能とされている。
【００５１】
なお、図２１に示すように、主制御基板３４０と試験装置８０７との間を中継する中継基板３４４を当該遊技機１に設けることもできる。この場合、主制御基板３４０のコネクタ３４３と、中継基板３４４のコネクタ３４６とが接続され、中継基板３４４のコネクタ３４５に試験装置８０７からのハーネスが接続される。遊技情報は、主制御基板３４０の遊技情報出力回路部３４７からコネクタ３４３を介して、変換回路部としての中継基板３４４に出力され、該中継基板３４４にて試験装置８０７が読取り可能なフォーマットに変換されるとともに、該中継基板３４４から試験装置８０７に出力される。
【００５２】
図３に戻り、中継基板２００には、図７に示すように、役物作動口入球検知スイッチ２１ｃ、誘導増加装置作動領域通過検知スイッチ１９ｄ、役物誘導装置作動ゲート通過検知スイッチ２６ａ、役物作動口ソレノイド２１ｄ、役物作動口（得点増加装置作動口）入球検知スイッチ２３ｃ、役物作動口（得点増加装置作動口）ソレノイド２３ｄ、盤用外部端子基板３２、誘導増加装置非作動領域通過検知スイッチ１９ｅが接続されている。役物作動口ソレノイド２１ｄは、役物作動口（特定入球口）２１の可動片２１ａ，２１ｂ（図１参照）を開閉するためのソレノイドである。役物作動口（得点増加装置作動口）ソレノイド２３ｄは、役物作動口（得点増加装置作動口）２３の可動片２３ａ，２３ｂを開放するためのソレノイドである。盤用外部端子基板３２は、各種検知スイッチデータ等を当該遊技機外部に出力するための端子基板である。
【００５３】
図３に戻り、枠用外部端子基板１２２には、賞球制御部（払出制御部）１５０、タンク球切れ検知スイッチ１０４及びドアスイッチ２０２等が接続されている。枠中継基板２００ｂには、図８に示した補給球切れ検知スイッチ１０８、賞球計数センサ１９８、下受け皿満タンスイッチ１９９、ファール球センサ１９７、球送りカウントスイッチ９５、槌先球検知スイッチ９４、球貸し計数センサ１９２等が接続されている。なお、補給球切れ検知スイッチ１０８はタンクレール１０６（図２参照）と賞球払出装置１０９（図２参照）間の球切れを検知するためのスイッチ、賞球計数センサ１９８は払い出された賞球数を計数するためのセンサ、下受け皿満タンスイッチ１９９は下皿部６（図１参照）の下受け皿が満タンになったことを検知するためのスイッチ、ファール球センサ１９７は発射装置ユニット８（図２参照）から発射された遊技球が、遊技領域１１（図１参照）まで達せず、外レール１０ｃ（図２２参照）から下皿部６（図２２参照）に戻ってきた遊技球を検知するためのセンサである。また、球送りカウントスイッチ９５は球送りソレノイド９１（図１６参照）により上皿部５から発射装置ユニット８（図２参照）の発射位置（発射モータ９３の槌先位置に該当する（図２２参照））に送られた遊技球をカウントするためのスイッチ、槌先球検知スイッチ９４は上記発射位置にある遊技球を検知するためのスイッチ、球貸し計数センサ１９２はＣＲユニット（プリペイドカードユニット）１３を利用して貸し出された球数を計数するためのセンサである。
【００５４】
賞球制御部（払出制御部）１５０は、主制御部１４０と同様のＣＰＵ６０１（図１４参照）を含んで構成され、メモリクリアスイッチ基板１９１、ＣＲユニット（プリペイドカードユニット）１３、賞球流路切替ソレノイド１９４、ＣＲ操作基板１９５、賞球モータセンサ基板１９６、発射装置制御基板２０１等が接続されている。メモリクリアスイッチ基板１９１は、電源投入時に残存している各種データを全てクリアするためのスイッチ基板であって、賞球流路切替ソレノイド１９４は賞球払出装置１０９における球貸しと賞球払出しの流路を切り替えるためのソレノイドである。また、ＣＲ操作基板１９５はＣＲユニット（プリペイドカードユニット）１３との間で、球貸し、カード残り数等の信号を入出力するための基板で、賞球モータセンサ基板１９６は賞球払出しに係る賞球モータ２９７の動作状態を検知するためのセンサ基板である。
【００５５】
発射装置制御基板２０１には、図１６に示すように、球送りソレノイド中継基板９２、発射モータ９３、発射停止スイッチ９ｂ、発射ハンドル９が接続されている。球送りソレノイド中継基板９２には球送りソレノイド９１が接続され、上皿部５（図１参照）に貯留された遊技球を１個ずつ発射位置に送り込むためのものである。発射モータ９３は、発射位置に送り込まれた遊技球を遊技領域１１（図１参照）に打ち込むための発射ハンマを稼働させるモータである。
【００５６】
図３に戻り、図柄表示装置制御部１６０は、演算回路構成要素（図示略）として、ＣＰＵと、ＲＡＭと、ＲＯＭと、入出力ポートと、ＶＤＰ（ビデオディスプレイプロセッサ）とを含み、それら演算回路構成要素はバスにより相互に接続して構成され、入出力ポートにおいて主制御部１４０に接続されている。図柄表示装置制御部１６０には、図６に示すように、表示盤を備える誘導図柄表示装置基板１７ｄが接続され、ＣＰＵはＲＯＭに格納された制御プログラムにより、ＲＡＭをワークエリアとして誘導図柄表示装置（表示盤）１７の作動制御（すなわち、表示装置の表示制御）を行っている。入球図柄表示装置２５の表示制御は、主制御部１４０が担うことも、図柄表示装置制御部１６０で行うことも可能である。この場合、入球図柄表示装置基板２５ｄが接続され、入球図柄表示装置２５の表示制御が行われる。なお、図３に示すように、図柄表示装置制御基板３６０には上述の試験装置８０７が接続され、例えば表示制御に関連する信号（表示指令信号等）を該試験装置８０７に出力可能としている。また、図３７に示すように、図柄表示装置制御部を誘導図柄表示装置制御部１６０ａと入球図柄表示装置制御部１６０ｂとに分け、それぞれが誘導図柄表示装置１７、入球図柄表示装置２５を制御するものとすることもできる。この場合、試験装置８０７をそれぞれの制御部１６０ａ，１６０ｂに接続し、各表示制御信号を試験装置８０７に出力可能とすることができる。
【００５７】
ランプ出力装置制御部１７０は、図柄表示装置制御部１６０と同様の演算回路構成要素（ＣＰＵ，ＲＯＭ，ＲＡＭ，入出力ポート等）を含んで構成され、入出力ポートにおいて主制御部１４０に接続されている。ランプ出力装置制御部１７０には、図５に示すように、電飾中継基板１７１ａ、各種ＬＥＤ基板、得点表示灯基板２９ａ等が接続されている。電飾中継基板１７１ａには、遊技効果ランプ基板４ｇ、賞球表示ＬＥＤ基板４ｄ等が接続され、さらに賞球表示ＬＥＤ基板４ｄには、ストップ表示ＬＥＤ基板４ｆ等が接続され、得点表示灯基板２９ａには、得点表示装置２９（図１参照）が接続されている。これらのランプ等はゲームの進行に対応して点灯・消灯又は点滅し、遊技効果を高めている。
【００５８】
音声出力装置制御部１８０は、図柄表示装置制御部１６０と同様の演算回路構成要素（ＣＰＵ，ＲＯＭ，ＲＡＭ，入出力ポート等）及びサウンドジェネレータ（図示略）を含んで構成され、入出力ポートにおいて主制御部１４０に接続されている。音声出力装置制御部１８０には、図４に示すように、音声中継基板２０３が接続され、該音声中継基板２０３に接続された音量スイッチ基板１２は、図示しない音量スイッチの操作に伴い、出力音量の設定を行うもので、スピーカー４００ａから遊技の進行に対応して各種サウンド、音声等が出力される。
【００５９】
さらに、遊技効果ランプ基板４ｇ等の各種ランプや音声出力装置制御基板３８０に搭載されたサウンドジェネレータは、図柄表示装置制御部１６０の制御による図柄の可変・停止表示態様、リーチ発生の有無、リーチ表示態様、特別遊技態様、及び遊技モード等に応じてその態様は制御される。その制御指令の指令信号は、ランプ出力装置制御部１７０あるいは音声出力装置制御部１８０を作動指令対象とする指令信号として、主制御部１４０から一方向に送信される。
【００６０】
なお、上述した図柄表示装置制御部１６０、ランプ出力装置制御部１７０及び音声出力装置制御部１８０は、主制御部１４０や賞球制御部１５０と同様の回路部から構成されるものとすることもできる。すなわち、図１４に示したような内部にＲＯＭ、ＲＡＭが内蔵されたＣＰＵを用いることもできる。
【００６１】
次に、図３に示した電子制御装置１３０における電源供給経路について説明する。図１８は、電子制御装置１３０（図３参照）の電源部における基板接続レイアウトの一例を示す回路図である。電子制御装置１３０（図３参照）は、電源受電基板１２８において電源ケーブル５０１により交流電圧（ＡＣ２４Ｖ）を受電する。この交流電圧は、電源受電基板１２８内にてコネクタ４１３とコネクタ４１４とに分配される。コネクタ４１３には、変圧供給用ケーブル５０３が接続され、交流電圧が電源ユニット１２７に供給される。また、コネクタ４１４には、交流電圧供給用ケーブル５１４が接続され、交流電圧（賞球モータ２９７駆動用）が賞球制御基板３５０（図３参照）に供給される。なお、電源受電基板１２８には、過電流保護のため受電電圧を遮断する電源ヒューズ４１６と、プリペイドカードユニット（ＣＲユニット）１３（図１参照）へのＡＣ２４Ｖの供給を遮断するヒューズ４１７が取り付けられている。
【００６２】
電源受電基板１２８からの交流電圧は、コネクタ４１３から変圧供給用ケーブル５０３により、電圧変換部（図示略）を備えた電源ユニット１２７に分配される。電源ユニット１２７には、変圧供給用ケーブル５０３が接続される入力コネクタ４２１が形成される一方、各変換電圧の出力端子（１，２，３，６）、接地端子（４，５）及びバックアップ端子（７，８）を含んだ出力コネクタ４２２が設けられている。なお、図１８に示す出力コネクタ４２２では２４Ｖの出力端子を１個のみ描いているが、実際はＤＣ用と脈流用との２つの２４Ｖ端子が形成されている。また、バックアップ端子は８番端子がＤＣ５Ｖ用の電圧変換部（図示略）の接地端子と共通結線され、７番端子との間にまたがるように蓄電手段（バックアップ用電力供給手段）としてのコンデンサ４２３が接続されて、ＤＣ５Ｖのバックアップ電圧が該７番端子から出力されるようになっている。
【００６３】
電源ユニット１２７の出力コネクタ４２２は、ケーブル５０４により電源中継基板１２１の入力コネクタ４３３に接続され、電源ユニット１２７にて変換・生成された各種電源電圧が供給されるようになっている。そして、電源中継基板１２１には、遊技機１の各種遊技装置の作動を司る複数の制御基板、ここでは主制御基板３４０、賞球制御基板３５０、図柄表示装置制御基板３６０、ランプ出力装置制御基板３７０、音声出力装置制御基板３８０及び発射装置制御基板２０１を接続するために、各基板にて使用される電源電圧の出力端子を一まとめとした基板側コネクタ４３４が、各基板に対応して設けられており、各端子に入力コネクタ４３３からの電源電圧及びバックアップ電圧が分配されるようになっている。なお、図面上では便宜上、一つのコネクタ４３４を示したが、実際は各制御基板にそれぞれ対応して、電源中継基板１２１にはコネクタが複数設けられている。また、バックアップ電圧は、本実施例の場合、遊技球の流通に直接的に関連する主制御基板３４０及び賞球制御基板３５０に供給される。
【００６４】
ここで、基板側コネクタ４３４は全て予備端子部を有さない構成となっており、対応する基板に向かう配線が、形成された全ての端子部に接続されている。具体的には、基板側コネクタ４３４は、各電源電圧の出力端子及び接地端子のみ、又は各電源電圧の出力端子、接地端子及びバックアップ電源用端子のみを含むものとされている。電源系統の設計変更等に柔軟に対応するためには、新たな電源電圧端子の増設を容易とするために、予備端子部を形成しておくと便利な場合もあるが、上記のように予備端子部を敢えて形成せず、全ての端子を過不足なく使用し尽くす構成とすることで、予備端子を利用した不正操作を効果的に防止することができる利点が生ずる。
【００６５】
次に、図１９は、上述の電源ユニット１２７について電源監視モジュール５５３を含む内部構成の一例を示す回路図である。まず、電源受電基板１２８からの出力電圧は、電源ユニット１２７内の定電圧回路部５５２にてＤＣ５Ｖ等に整流・平滑化されて、例えば賞球制御部１５０（主制御部１４０）の電源端子ＶCCに入力される一方、補助電源回路（蓄電手段）５５６を介してバックアップ端子に接続されている。この補助電源回路５５６は、停電等による電源受電基板１２８からの電力供給の遮断等により、定電圧回路部５５２からの電力供給が途絶えるか、あるいは出力電圧が所定値以下に降下した場合に、ＲＡＭ６８１，４８１を備えたＣＰＵ６０１，４０１（図１４参照）に必要な作動電圧を確保するためのものである。ここでは、出力電圧維持用の蓄電手段、具体的にはコンデンサ５５７が補助電源回路５５６の主体をなしている。なお、定電圧回路部５５２から電源端子ＶCCへの途上にはコンデンサ５５７ｂが設けられ、電源供給の遮断時等に、このコンデンサ５５７ｂにより補助電源回路５５６からのバックアップ電圧が供給されるまでの間の電圧供給が補償される。また、コンデンサ５５７ｂの容量は、後述するバックアップ処理が完了するまでの間は少なくとも、ＲＡＭ６８１，４８１を含むＣＰＵ６０１，４０１（図１４参照）の作動を確保できる程度に設定されていることが望ましい。
【００６６】
コンデンサ５５７は、定電圧回路部５５２からＶCCへの電力供給線に対して並列に接続されており、常時はダイオード５５８を経て定電圧回路部５５２から電力供給を受けることにより充電状態を維持している。そして、電力供給が途絶えた場合は、コンデンサ５５７がダイオード５５８により逆流防止されつつ放電し、ＲＡＭ６８１，４８１を含むＣＰＵ６０１，４０１（図１４参照）に作動電圧を供給する。なお、コンデンサ５５７の容量は、電断時のバックアップ処理から復帰処理に至る一連の処理が完了するまでの間は少なくとも、ＲＡＭ６８１，４８１の作動を確保できる程度に設定されていることが望ましい。また、補助電源回路５５６は、コンデンサ５５７に代えて電池（この場合、一次電池、二次電池のいずれでもよい）５５７ａを用いて構成してもよい。
【００６７】
一方、定電圧回路部５５２からの出力電圧ＶXは、異常検出手段（ここでは、電源遮断検出手段）として機能するコンパレータ５６９に分岐入力され、ここで電圧監視基準信号５６７の電圧レベルＶSと比較される。ＶSは、定電圧回路部５５２の所定の端子からの出力電圧（例えば１２Ｖ）で、例えばＣＰＵ６０１，４０１（図１４参照）の安定した作動が不能となる下限の電圧レベルに対応して設定することができる。常時はＶX＞ＶSであり、コンパレータ５６９の出力は第一状態（ここではＬレベル）となっているが、停電等によりＶX＜ＶSになると、コンパレータ１６９の出力は前記した第一状態と異なる第二状態（ここではＨレベル）となる。
【００６８】
そして、このコンパレータ５６９の出力は、電源遮断信号（異常検出信号）の出力手段であるＡＮＤゲート５７０（異常確定情報生成手段）の一方の端子に入力される。そして、ＡＮＤゲート５７０の他方の端子には、電源遮断信号発生用基準信号５６８が入力されている。この電源遮断信号発生用基準信号５６８は、前記したコンパレータ５６９の第二状態に対応する電圧レベルＶYを有する（ここでは便宜的にＶS＝ＶYとしている）。従って、コンパレータ５６９の出力が前記した第二状態になった場合にのみ、ＡＮＤゲート５７０は電源遮断信号ＶKを出力し（ここではＬレベル）、これがＣＰＵ６０１，４０１（図１４参照）の割込端子に入力される。
【００６９】
コンパレータ５６９及びＡＮＤゲート５７０の作動電圧は、定電圧回路部５５２（出力：＋１２Ｖ）により供給されている。なお、ＡＮＤゲート５７０の作動電圧は＋５Ｖなので、分圧抵抗５７０ａ、５７０ｂからなる調整部５７０ｃ（ＤＣ−ＤＣコンバータ等であってもよい）により電圧調整されている。また、前記した電圧監視基準信号５６７及び電源遮断信号発生用基準信号５６８も定電圧回路５５２により作られる（電圧レベルは分圧抵抗５６３、５６４からなる調整部５６０により調整されている）。なお、停電時には定電圧回路５５２からの電力供給も途絶えるので、ダイオード５６２とコンデンサ５６１を有する、補助電源回路５５６と同様の構成の基準信号用補助電源回路５５９が設けられている。
【００７０】
本実施態様においては、停電等の電断発生時には、上記蓄電手段からの補助電力の供給により、ＲＡＭ６８１，４８１（図１４参照）内に遊技態様を成立させるための遊技媒体情報が記憶・保持（バックアップ）されることとなる。例えば、異常発生時にＣＰＵ６０１，４０１（図１４参照）がＮＭＩ割込み信号を受けると、ＣＰＵ６０１，４０１（図１４参照）のレジスタに書き込まれている遊技態様を成立させるための制御プログラム情報が、該ＣＰＵ６０１，４０１（図１４参照）の制御に基づいてＲＡＭ６８１，４８１（図１４参照）に移管され、該制御プログラム情報が記憶・保持（バックアップ）される。また、異常発生時のＲＡＭ６８１，４８１（図１４参照）に記憶されている遊技情報も、該ＲＡＭ６８１，４８１に記憶・保持される。
【００７１】
なお、電源受電基板１２８からのＡＣ２４Ｖ等、その他の電圧レベル値を監視し、該電圧レベルが所定値よりも低下した場合に、上記バックアップ電圧を供給する構成とすることも可能である。これら監視する電圧値、電断信号（ＮＭＩ割込み信号）を変化させるタイミングは、バックアップの対象とする制御部に応じて種々変更することが可能である。例えば、上述の賞球モータ２９７（図３参照）に対して余分な払出しを防止するためには、該モータ２９７の駆動電圧を参照して決定することが可能である。また、払出しに要する時間を考慮して、電断信号及びシステムリセット信号を変化させるタイミングを決定することが可能である。
【００７２】
図１８に示した電源ユニット１２７の変形例について説明する。図２７に示した電源ユニット４２０においては、入力交流電圧（ＡＣ２４Ｖ）は以下の手順にて変換出力される。なお、電源ユニット４２０には、入出力コネクタ４２１，４２２としてＣＮ１〜ＣＮ４が設けられている。
まず、電源受電基板４１０から入力される交流電圧は、例えばダイオード等の整流回路素子を備えた整流回路７６０ａにおいて整流される（例えば上記ダイオードブリッジ５７４等による全波整流）。整流された電圧は、脈流（２４Ｖ）として例えばコネクタＣＮ２の１０番端子から副制御基板（賞球制御基板３５０、図柄制御基板３６０、ランプ制御基板３７０、音声制御基板３８０）に出力することが可能である。なお、この脈流電圧は、供給先の各制御基板において種々の目的に応じて平滑化することが可能で、コンデンサ又は三端子レギュレータ等により平滑化可能である。例えば、抵抗フィラメントを含む発光装置、例えばランプ制御基板においてランプ類の点灯駆動用に使用する場合には、そのまま脈流電圧を用いることが可能で、発射制御基板において発射装置用トルクモータの駆動用に使用する場合には、該発射制御基板において脈流を平滑化して、安定な直流電圧を用いることが可能である。
【００７３】
また、電源受電基板４１０から入力され、整流回路７６０ｂにおいて整流された電圧は、上記と同様の三端子レギュレータを備えた降圧型チョッパレギュレータＩＣ７６３にて変圧・安定化された後、再び整流回路素子及び平滑化回路素子を含む整流・平滑化部（平滑フィルタ）７６４において整流・平滑化され、ＤＣ１２Ｖ−Ａとして出力される。なお、このＤＣ１２Ｖ−Ａは、例えばコネクタＣＮ２の８番端子から電源中継基板１２１（図１８参照）を介して、図柄制御基板３６０、ランプ制御基板３７０、音声制御基板３８０に出力されるものとされている。
【００７４】
また、電源受電基板４１０から入力され、整流回路７６０ｃにおいて整流された電圧は、さらに整流された後、ＤＣ３２Ｖとして例えばコネクタＣＮ２の９番端子から副制御基板（賞球制御基板３５０、図柄制御基板３６０、ランプ制御基板３７０、音声制御基板３８０）に、またコネクタＣＮ４の４番端子から主制御基板３４０に出力される。同じく整流回路７６０ｃにおいて整流された電圧は、一方で上記と同様の三端子レギュレータを備えた２出力チョッパレギュレータＩＣ７６５にて変圧・安定化された後、再び整流回路素子及び平滑化回路素子を含む整流・平滑化部（平滑フィルタ）７６４において整流・平滑化され、ＤＣ１２Ｖ−Ｂ及びＤＣ５Ｖとして例えばコネクタＣＮ２の７番及び４番、５番端子から副制御基板（賞球制御基板３５０、図柄制御基板３６０、ランプ制御基板３７０、音声制御基板３８０）に、またコネクタＣＮ４の３番及び２番端子から主制御基板３４０に出力される。なお、このＤＣ１２Ｖ−Ｂは、主制御基板３４０、枠制御基板３５０、発射制御基板２０１に出力されるものとされており、ＤＣ５Ｖは主制御基板３４０及び副制御基板（賞球制御基板３５０、図柄制御基板３６０、ランプ制御基板３７０、音声制御基板３８０）に出力されるものとされている。なお、ＤＣ５Ｖの出力は、電源遮断時において、内蔵ＲＡＭ４８１及び６８１（図１４参照）の内容をバックアップするための電圧供給を補償するために、電気二重層コンデンサ等を含むバックアップ回路７６９を介してＣＮ２の３番端子に出力されている。
【００７５】
次に、電源受電基板４１０から入力され、整流回路７６０ｃにおいて整流された電圧は、電断検知回路７７１に出力される。この電断検知回路７７１は、電源電圧の監視を行う回路であって、出力される電源電圧が一定値以下となった場合に、電断信号を出力する回路部である。この電断信号は、出力バッファ７７２からフィルタ７７３を介して、コネクタＣＮ３の２番端子から主制御基板３４０及び賞球制御基板３５０に出力される。主制御基板３４０及び賞球制御基板３５０に電断信号が入力されると、該主制御基板３４０及び賞球制御基板３５０はバックアップ処理を行うものとされている。
【００７６】
また、電断検知回路７７１はメモリクリア信号を出力する。このメモリクリア信号は、電源投入時に主制御基板３４０及び賞球制御基板３５０のＲＡＭ４８１及び６８１（図１４参照）の内容を消去（クリア）するための信号である。具体的には、電源投入時のみに有効とされるメモリクリアスイッチ（電源ユニット４２０に設けられている（図示略））を人為的に押しながら、電源を投入することによりメモリクリア信号が生成され、ＣＮ３の１番端子から主制御基板３４０及び賞球制御基板３５０に出力される。
【００７７】
一方、電断検知回路７７１は副制御基板（賞球制御基板３５０、図柄制御基板３６０、ランプ制御基板３７０、音声制御基板３８０）用のシステムリセット信号を出力する。すなわち、本実施例においては、主制御基板用のシステムリセット信号は主基板電源制御部８７０にて生成され、該主制御部用のシステムリセット信号と副制御基板（賞球制御基板３５０、図柄制御基板３６０、ランプ制御基板３７０、音声制御基板３８０）用のシステムリセット信号が異なる回路部にて生成されるとともに、異なるコネクタ及び信号線を介して出力される。この副制御基板（賞球制御基板３５０、図柄制御基板３６０、ランプ制御基板３７０、音声制御基板３８０）用のシステムリセット信号は、電源投入時に各副制御基板３５０〜３８０にコネクタＣＮ３の３番端子から出力されて、該副制御基板３５０〜３８０にて初期化が行われる。その後、主制御基板用のシステムリセット信号が、主基板電源制御部８７０から出力されて主制御基板３４０の初期化が行われる。
【００７８】
次に、主制御基板（主基板）３４０への電源電圧の出力は、各副制御基板（賞球制御基板３５０、図柄制御基板３６０、ランプ制御基板３７０、音声制御基板３８０）への電源電圧の出力が行われた後に行われるものとされている。このような出力制御は、具体的には、図２７に示す主基板電源制御部（主制御基板電源制御部）８７０により行われている。この主基板電源制御部８７０は、主制御基板３４０への電源電圧の出力を制御するものであって、各副制御基板（賞球制御基板３５０、図柄制御基板３６０、ランプ制御基板３７０、音声制御基板３８０）からの信号に基づいて主制御基板３４０に対して電源電圧を供給するものとされている。すなわち、各副制御基板（賞球制御基板３５０、図柄制御基板３６０、ランプ制御基板３７０、音声制御基板３８０）に電源電圧が供給され、該副制御基板（賞球制御基板３５０、図柄制御基板３６０、ランプ制御基板３７０、音声制御基板３８０）における制御（作動）が開始された場合に当該副制御基板（賞球制御基板３５０、図柄制御基板３６０、ランプ制御基板３７０、音声制御基板３８０）から出力される作動生起信号（起動信号）が主基板電源制御部８７０に入力された場合に、主制御基板３４０に対して電源電圧を供給するものとされている。副制御基板（賞球制御基板３５０、図柄制御基板３６０、ランプ制御基板３７０、音声制御基板３８０）においては、電源電圧が供給されて、その制御が開始された場合に作動生起信号を出力する作動生起信号出力手段（各副制御部のＣＰＵ）が設けられ、該作動生起信号出力手段にて出力された作動生起信号は、中継基板１２１（図１８参照）を介して電源ユニット４２０のコネクタＣＮ４の５〜８番端子に入力される。なお、該作動生起信号は電源ユニット４２０に直接入力されるものとすることも可能である。
【００７９】
主基板電源制御部８７０は、図２８に示すように、ＡＮＤゲート（論理回路）８７１と、リレー（継電器）８７２を備えている。コネクタＣＮ４の５〜８番端子（図２７参照）に入力された各副制御基板（賞球制御基板３５０、図柄制御基板３６０、ランプ制御基板３７０、音声制御基板３８０）からの作動生起信号は、ＡＮＤゲート（論理回路）８７１に入力され、全ての入力がＨレベルとなった場合に、ＡＮＤゲート（論理回路）８７１からＨレベル信号がリレー８７２に対して出力されて、リレー８７２が作動する。リレー８７２の作動により、主基板電源制御部８７０に供給され得る各電源電圧（５Ｖ，１２Ｖ−Ｂ，３２Ｖ）が通電され、これに基づいてリセットＩＣ８７３にてシステムリセット信号が生成されるとともに、該システムリセット信号が主制御基板３４０に出力されて主制御基板３４０の制御が初期化される。さらに各電源電圧（５Ｖ，１２Ｖ−Ｂ，３２Ｖ）が主制御基板３４０に出力され、該主制御基板３４０の制御（作動）が開始される。
【００８０】
また、主基板電源制御部８７０としては、図２９に示すようにＣＰＵ８７７を主体として構成し、該ＣＰＵが副制御基板（賞球制御基板３５０、図柄制御基板３６０、ランプ制御基板３７０、音声制御基板３８０）からの作動生起信号に基づき、主制御基板３４０への電源電圧を出力する構成とすることも可能である。すなわち、各副制御基板（賞球制御基板３５０、図柄制御基板３６０、ランプ制御基板３７０、音声制御基板３８０）からの作動生起信号は、Ｉ／Ｏポート８７５及びデコード回路８７６を介してＣＰＵ８７７に入力され、該入力に基づいてＣＰＵ８７７は、リレー８７２に作動指令信号を出力するものとすることができる。
【００８１】
このような図２８，２９に示した主基板電源制御部８７０を設けることにより、副制御基板（賞球制御基板３５０、図柄制御基板３６０、ランプ制御基板３７０、音声制御基板３８０）における制御の起動が主制御基板３４０の制御の起動よりも早くなり、主制御基板３４０からの制御信号を取りこぼす等の不具合が生じ難くなり得る。なお、本実施例においては、主制御部１４０の制御が開始されると、後述する動作開始許可信号（図２３参照）が賞球制御部１５０に送信されるものとされている。
【００８２】
次に、遊技機１の動作について、主制御部１４０のＣＰＵ４０１が実行する処理を中心にして説明する。遊技機１が起動されると、ＣＰＵ４０１は初期設定処理を実行し、その後はタイマリセットされる毎に（本実施例の場合、リセット周期は２．０４８ｍｓ）、図９に示されるメインジョブを繰り返し実行する。
【００８３】
図９に示すように、メインジョブにおいては、ＣＰＵ４０１はスタートスイッチチェックジョブ（Ｓ１００）として、発射ハンドル９（図１６参照）に付属しているスタート／ストップスイッチがスタート状態にされているか否か、ゲーム開始フラグがセットされているか否か、入球領域に設けられた各種入球検知スイッチ２５ａ，２３ｃ，２１ｃ（図３及び図７参照）のカウント値が１６個未満か否かの判定を行う。
【００８４】
次にゲーム開始ジョブ（Ｓ２００）では、図１０に示すように、ＣＰＵ４０１はＳ２０１においてゲーム終了フラグは「１」か否かを判断し、肯定判断ならば、Ｓ２０２においてゲーム終了フラグを０クリアするとともに、ゲームの開始に必要な各種のフラグやタイマーに対して確認、設定あるいはクリア等の処理を行い、否定判断のときにはリターンする。なお、ゲーム終了フラグは前述の初期設定でセットされ、その後はＳ１０００の遊技終了ジョブ（図９参照）においてセットされる。
【００８５】
図９に戻り、続く発射ジョブ（Ｓ３００）では、ＣＰＵ４０１は設定時間や発射ハンドル９（図１６参照）の操作状態を確認し、確認結果に基づいて発射装置ユニット８（図２参照）の発射モータ９３（図１６参照）のＯＮ／ＯＦＦ制御を実行する。そして、発射ジョブ（Ｓ３００）に続いて、発射数カウントジョブ（Ｓ４００）が実行され、この発射数カウントジョブ（Ｓ４００）では、球送りカウントスイッチ９５，槌先球検知スイッチ９４（図８参照）の検知情報、ファール球センサ１９７（図８参照）の信号に基づくファール球などのそれぞれの確認及び発射回数カウンタの更新が行われる。なお、主制御部１４０（図３参照）に設けられた発射回数カウンタには、球送りカウントスイッチ９５（図８参照）によってカウントされた発射球数とファール球センサ１９７（図８参照）にて検出されたファール球との差、すなわち有効発射球数が書き込まれる。また、槌先球検知スイッチ９４（図８参照）にて発射位置における遊技球の有無が検出される。
【００８６】
続いて、発射数カウントジョブにて更新される発射回数カウンタを参照してＳ４５０の発射制御ジョブが行われる。具体的には図２６に示すように、例えば１回のゲームにおいて、有効発射球数が上限値１６未満の場合（Ｓ４５１：ＹＥＳ）は、Ｓ４５２に進んで主制御部１４０は球送りソレノイド９１（図１６参照）を作動させるべく、制御信号を賞球制御部１５０（図３参照）を介して発射制御部２０１ａに送信する。若しくはＳ４５１にて否定判断された場合、Ｓ４５３にて槌先球検知スイッチ９４（図８参照）の検知の有無を確認し、該槌先球検知スイッチ９４（図８参照）にて遊技球が検知された場合には、Ｓ４５４に進み発射モータ９３（図１６参照）のみを作動させるべく、制御信号を同様に発射制御部２０１ａに送信する。なお、上記球送りソレノイド９１と発射モータ９３の作動はそれぞれ別途制御信号を送信して行われるものとされているが、球送りソレノイド９１と発射モータ９３とを逐次的に作動させるシーケンス信号（逐次信号）を発射制御部２０１ａに送信することで、それぞれの装置を同一シーケンスで逐次的に作動させることも可能である。なお、槌先球検知スイッチ９４（図８参照）にて遊技球の検知が無い場合（Ｓ４５３：ＮＯ）は、各種入球検知スイッチ２５ａ，２３ｃ，２１ｃ（図３及び図７参照）のカウント値が１６個未満か否かの判定が行われ、１６個あった場合は当該単位遊技における発射制御が終了される。
【００８７】
次に、当否判定用の乱数カウンタのカウント値を更新する乱数更新ジョブ（Ｓ５００）が行われる。これは、誘導図柄表示装置１７における図柄の当否判定を乱数によって行うための乱数更新ジョブであって、図１１に示すように、乱数処理として実行される乱数更新ジョブ（Ｓ５００）では、ＣＰＵ４０１は、Ｓ５０１においてＲＡＭ４８１（図１４参照）の設定エリアに設けられている乱数の値を１インクリメントさせ、続くＳ５０２において１インクリメントされた乱数の値が５０以上か否かを判断する。ここで、乱数の値が５０以上との肯定判断がなされると、Ｓ５０３で乱数の値を０クリアする処理がなされる。この後、乱数の値が５０未満との否定判断がなされたときには、リターンする。このように更新される乱数値を所定のタイミング（誘導図柄作動ゲート１６での通過検知時）で取得し、予め定められた当否決定値と比較して上記当否判定を行っている（当否判定ジョブ）。
【００８８】
図９に戻り、続いて遊技ジョブ（Ｓ６００）が実行される。この遊技ジョブ（Ｓ６００）のサブルーチンとして図１２に示される図柄表示ジョブ（Ｓ６１０）が行われる。この図柄表示ジョブ（Ｓ６１０）では、ＣＰＵ４０１は、Ｓ６１１において役物作動口入球検知スイッチ２１ｃ（図７参照）、役物作動口（得点増加装置作動口）入球検知スイッチ２３ｃ（図７参照）、１６連入球検知スイッチ２５ａ（図３参照）等の遊技領域に設けられた各入球領域の入球検知スイッチをスキャンする。これらからの検知信号があれば（Ｓ６１２：ＹＥＳ）、Ｓ６１３において入球図柄表示装置２５に入球した入球領域に対応する数字のランプを点灯表示させる。入球図柄表示装置２５において、例えば４つの連続した数字ランプが組合せ点灯表示すれば得点成立となり、所定数の遊技球やコイン等が払い出される。
【００８９】
また、遊技ジョブ（Ｓ６００）のサブルーチンとして図１７に示す誘導図柄表示ジョブ（Ｓ６２０）が別途行われる。なお、誘導図柄作動ゲート１６への入球（すなわち誘導図柄作動口入球（ゲート通過）検知スイッチ１６ｄにおける検知）に基づき、上記当否判定ジョブが行われ、さらには、外れないし当りの図柄決定用乱数及びリーチ態様決定用乱数の取得が行われ、その結果がＲＡＭ４８２（図１４参照）に記憶される。まず、Ｓ６２１において、誘導図柄作動ゲート１６への遊技球の通過に基づき、誘導図柄表示装置１７において各図柄（この場合３桁の誘導図柄とする）の可変表示を開始させる。次いで、Ｓ６２２において、上記当否判定ジョブで得られた当否結果を参照し、当り判定（「１」）の場合は（Ｓ６２３：ＹＥＳ）、Ｓ６３２に進み、上記乱数により決定されたリーチ態様決定用値を読み出し、さらにＳ６３３に進み、同様に乱数により決定された大当り番号を読み出し、Ｓ６３１に進んで、例えば左図柄及び中図柄を同一図柄に揃えて所定のリーチ表示態様を経た後に、右図柄を左図柄及び中図柄と同一図柄に揃えて停止表示させ確定させる。
【００９０】
一方、外れリーチ判定（「２」）の場合は（Ｓ６２４：ＹＥＳ）、Ｓ６２８に進み、上記乱数により決定された外れリーチ図柄番号と、外れ右図柄番号とを読み出す。そして、Ｓ６２９において、読み出した外れリーチ図柄番号と外れ右図柄番号とを比較し、それらの差異に基づき外れリーチ態様を決定する（Ｓ６３０）。具体的には、Ｓ６２９において、それらの番号の差（すなわち、例えば左図柄と右図柄との差）を算出し、その差に基づいてＲＡＭ４８１（図１４参照）に予め記憶されている外れリーチ態様メモリから外れリーチ態様データを読み出す。例えば、差が「−１」の場合（すなわち、例えば右図柄が左図柄の１つ前の図柄となる場合）、複数種類（例えば３種類）の外れリーチの中から１種が選択され（例えば、所定の乱数取得により選択することができる）、読み出される。その後、例えば、左図柄及び中図柄を同一図柄に揃えて所定のリーチ表示態様を経た後に、右図柄を他の図柄とは異なる図柄（他の図柄の１つ前の図柄）で停止表示させ確定させる。
【００９１】
また、通常外れ判定（「３」）の場合は（Ｓ６２５）、Ｓ６２６に進み、上記乱数により決定された外れ各図柄番号を読み出し、Ｓ６２７に進んで、各誘導図柄を、相互にずれたタイミングで停止表示させ確定させる。なお、通常外れ判定の場合も、１つの図柄のみ可変表示時間を遅らせる等、表示態様を種々の態様に変化させることも可能である。
【００９２】
このような誘導図柄表示ジョブ（Ｓ６２０）にて決定された表示態様は、対応するコマンドデータ（指令信号）として主制御部１４０から図柄表示装置制御部１６０へ所定の時間間隔をおいて出力され、図柄表示装置制御部１６０は、そのコマンドデータに基づいて任された範囲で制御態様を選択して表示制御を行う。なお、上記図柄表示装置制御部１６０に上記コマンドデータに対応して複数の表示パターンからなる表示パターン群を記憶させておき、指令信号として送信されたコマンドデータに対応する表示パターンを表示パターン群の中から選択して（乱数取得等により選択することができる）、誘導図柄表示装置１７における表示制御を、図柄表示装置制御部１６０において行うものとすることができる。
【００９３】
図９に戻り、続いてインターバルタイマセットジョブ（Ｓ７００）が実行される。図１５に示すように、このインターバルタイマセットジョブ（Ｓ７００）では、ＣＰＵ４０１はＳ７０１においてゲーム中か否かを判断し、ゲーム中であれば肯定判断となり、Ｓ７０２において各種入球検知スイッチ２５ａ，２３ｃ，２１ｃ（図３及び図７参照）のカウント値が１６個未満か否かの判定を行う。否定判断であれば、続くＳ７０３において、インターバルタイマ（遊技確認時間）のカウント値は「０」か否かを判断し、肯定判断であれば、続くＳ７０４においてインターバルフラグを「１」にセットする。なお、Ｓ７０１，Ｓ７０３において否定判断、Ｓ７０２において肯定判断であれば、リターンする。例えば設定球である１６個目の最後の遊技球が発射されたことを球送りカウントスイッチ９５及び槌先球検知スイッチ９４（図８参照）によって検知してから一定時間経過後（例えば、５秒）に、設定球である１６個目の最後の遊技球が遊技領域に設けられた各種入球領域に入球したことを各種入球検知スイッチ２５ａ，２３ｃ，２１ｃ（図３及び図７参照）からの検知信号によって検知してから一定時間経過後（例えば、２秒）において、所定の時期を開始時間と設定し、その開始時間から次のゲームが開始されるまでの間がインターバル期間として定められる。
【００９４】
図９に戻り、続いて得点演算ジョブ（Ｓ８００）が実行される。図１３に示すように、得点演算ジョブ（Ｓ８００）では、ＣＰＵ４０１はＳ８０１において、１ゲーム中に入球図柄表示装置２５における得点成立に係る組合せ表示が成立しているか否かを判断し、肯定判断であればＳ８０２に進んでその組合せに対する得点を加算する。続くＳ８０３において、得点増加装置が作動しているか否かを判断し、肯定判断であればＳ８０２で加算された得点を倍増し、否定判断であればリターンする。なお、Ｓ８０１において否定判断された場合にはＳ８０３にスキップするが、Ｓ８０３へのスキップを省略してリターンに抜けるものとしてもよい。
【００９５】
図９に戻り、Ｓ９００では払出ジョブが実行され、得点演算ジョブ（Ｓ８００）でセットされた得点データに基づいて、賞球払出のためのデータ取得等が行われる。そして１ゲームが終了したときに、得点表示装置２９（図１参照）に１ゲームにおいて成立した得点を払出スコアとして表示し、そのゲームの得点１点につき１６個の遊技球が賞球として払出され、入球図柄表示装置２５は消灯される。ただし、得点の上限は１０点で、１０点を超える分は賞球払出の対象とされない。
【００９６】
最後に実行される遊技終了ジョブ（Ｓ１０００）では、ＣＰＵ４０１はインターバルフラグが「１」にセットされているか否かを判断し、否定判断であれば、１６個の有効発射球数が発射された後の調整時間を経過したか否かを判断する。調整時間を経過していれば、インターバルフラグを「１」にセットし、次いでインターバルタイマをカウントアップすれば、ゲーム終了（単位遊技終了）フラグを「１」にセットしてリターンする。
【００９７】
次に、遊技機１の遊技態様について、主に図２を参照して説明する。まず、普通遊技状態の遊技態様について説明する。遊技球が誘導図柄作動ゲート１６を通過すると誘導図柄表示装置１７が作動する。誘導図柄表示装置１７に予め定められた図柄の組合せが確定表示されると、役物誘導装置（主制御部１４０）が作動して、役物作動口（特定入球口）２１の可動片２１ａ，２１ｂが開放される。開放作動中に役物作動口（特定入球口）２１に遊技球が入球した場合、若しくは所定回数（例えば２回）の単位遊技が経過した後に開放を終了する。なお、役物作動口（特定入球口）２１に遊技球が入球すると、入球図柄表示装置２５の５番、８番が点灯表示される。この５番、８番は、１６連入球口２４の入球困難な入球口に対応している。
【００９８】
役物作動口（特定入球口）２１に入球した遊技球は、誘導増加装置作動領域１９ａ、誘導増加装置非作動領域１９ｂ，１９ｂのいずれかに誘導される。ここで、遊技球が誘導増加装置作動領域１９ａに入球し、誘導増加装置作動領域通過検知スイッチ１９ｄ（図７参照）に検知されると、誘導増加装置（主制御部１４０）が作動し、特別遊技状態が発生する。この誘導増加装置は、最高１４回の単位遊技（１４ゲーム）まで継続して作動するものとされている。なお、各単位遊技において獲得された得点は、入球図柄表示装置２５の下方に設けられた得点表示装置２９（図１参照）にて表示される。
【００９９】
以上が普通遊技状態にかかる遊技態様であって、誘導図柄作動ゲート１６、誘導図柄表示装置１７、役物作動口（特定入球口）２１、誘導装置２０ａ、誘導増加装置作動領域１９ａは第１の遊技態様用（特別遊技発生用）の遊技装置群として機能している。
【０１００】
次に、特別遊技状態の遊技態様について説明する。上記誘導増加装置の作動中、すなわち特別遊技状態中に、遊技球が役物誘導装置作動ゲート２６を通過すると、役物誘導装置（主制御部１４０）が作動して、役物作動口（得点増加装置作動口）２３が所定時間開放される。該役物作動口２３へ遊技球が入球するか、当該開放したときの単位遊技が終了した場合に開放動作を終了するものとされている。役物作動口（得点増加装置作動口）２３に遊技球が入球すると、入球図柄表示装置２５の８番、９番、１２番、１３番が点灯表示されるとともに、そのゲーム（単位遊技）中に獲得した得点が２倍となる。この８番、９番、１２番、１３番は、１６連入球口２４の入球困難な入球口に対応している。この特別遊技状態は、１４回の単位遊技を上限として繰り返し行われ、該単位遊技が１４回目に達するか、誘導増加装置作動領域１９ａに遊技球が入球するかのいずれかによって終了となる。以上が特別遊技状態にかかる遊技態様であって、役物誘導装置作動ゲート２６、役物作動口（得点増加装置作動口）２３は第２の遊技態様（特別遊技状態）用の遊技装置群として機能している。なお、特別遊技状態が継続する上限を抽選によって選択するものとすることもできる。例えば、誘導増加装置作動回数判定図柄表示装置を遊技領域１１に配設し、誘導増加装置作動領域１９ａに遊技球が入球した後に該回数判定図柄表示装置にて確定表示された図柄に基づき、上記特別遊技状態の最高継続回数を決定するものとすることができる。
【０１０１】
次に、本実施例の遊技機１には、単位遊技において発射可能な遊技球数（発射上限球数：例えば１６個）の発射が行われた後、次の単位遊技に進む前に所定時間のインターバル時間が設けられている（例えば２秒）。インターバル時間の開始契機としては、例えば１６個の遊技球の発射後、全ての遊技装置が作動を終了してからとすることができる（インターバル機能）。この場合、１６個の遊技球が発射されてから遊技の終了までのインターバル時間において、該インターバル時間経過中である旨をランプ（ＬＥＤ等含む）や音声等のインターバル告知手段にて遊技者に対して知らせることが可能である。このようなインターバル告知手段としては遊技機前面に別個に表示装置を設けることや、誘導図柄表示装置（可変表示装置）１７を用いて告知を行うことも可能である。
【０１０２】
また、誘導図柄表示装置（可変表示装置）１７の作動契機は、誘導図柄作動ゲート（始動検知装置）１６へ遊技球が通過したことによるが、その通過検知時に、当該ゲームにおいて発射若しくは発射とみなされた遊技球の数（発射球数）に基づいて、誘導図柄表示装置（可変表示装置）１７に表示される変動パターン（可変表示パターン）が選択されるものとされている。変動パターン（可変表示パターン）としては、例えば図柄等が変動（可変）表示を開始してから確定表示するまでの変動表示時間（可変表示時間）が異なる幾つかのパターンを含むものとすることができる。例えば、図２５に示す変動パターン選択ジョブのように、Ｓ９５１において誘導図柄作動ゲート（始動検知装置）１６で遊技球の通過を検知すると、Ｓ９５２で当該単位遊技（１ゲーム）にて発射若しくは発射とみなされた発射球数を確認する。具体的には発射球数が所定数（例えば１０個）以上か否かを確認し、所定数未満の場合はＳ９５４において変動時間の相対的に長い変動パターンを選択する。一方、発射球数が所定数以上の場合は変動時間の相対的に短い変動パターンを選択するものとされている。このように選択された変動パターンに基づいて誘導図柄表示装置（可変表示装置）１７における変動表示（可変表示）が行われる。なお、上記変動パターン選択ジョブは主制御部１４０が主体となって行うものであるが、図柄表示装置制御部１６０が主体となって行うものとすることも可能である。また、変動パターンについて、変動時間に応じてさらに複数の変動パターンを予め記憶しておき、それぞれ発射球数に応じて選択されるものとすることが可能である。なお、上記発射若しくは発射とみなされた発射球数とは、球送りカウントスイッチ９５（図８参照）にて計数された送り球の数から、ファール球センサ１９７（図８参照）にて検知された遊技球（ファール球）の数を差し引いたものを言う。
【０１０３】
また、遊技機１にはエラー検出機能が具備されている。例えば、１回の単位遊技において、発射上限球数１６個の遊技球が発射されてから一定時間（例えば各入球装置（入球口）への入球確認時間として約５秒以上）が経過した後に、発射された全ての遊技球が入球装置（入球口）に入らなかった場合に、球掛かりエラー処理を行うものとされている。なお、発射上限球数１６個の遊技球の発射は、球送りカウントスイッチ９５（図８参照）とファール球センサ１９７（図８参照）によりカウントされる有効発射球数が１６個となり、且つ槌先球検知スイッチ９４にて所定時間（例えば戻り球確認時間として約２秒以上）が経過した後に該槌先球検知スイッチ９４にて遊技球が検知されない場合を、発射上限球数１６個の遊技球の発射が完了したものとすることができる。このようなエラー機能は、障害釘等により遊技球が遊技領域１１において引っ掛かっている可能性を示唆するものである。この場合のエラー処理は、遊技機１の前面部に設けられた表示装置（エラー用表示装置を用いたり、可変表示装置等を用いたりすることができる）にエラー報知を行うものとすることができ、この場合、特に１６から実際に入球した数を差し引くことにより、引っ掛かった遊技球数を算出することができ、該遊技球数を表示装置にて表示することも可能である。なお、エラー解除については、例えば遊技店の店員等により引っ掛かった遊技球をいずれかの入球装置（入球口）に入球することにより行われるものとすることができる。なお、エラー処理（エラー検出を含む）は各種スイッチ及び入球検知機構等を参照して主制御部１４０が主体となって行うものとされている。
【０１０４】
その他のエラー検出機能としては、例えば発射された遊技球の無効条件が設定されている。具体的には、遊技領域１１に発射された遊技球数は、槌先球検知スイッチ９４を参照しつつ、球送りカウントスイッチ９５（図８参照）とファール球センサ１９７（図８参照）との検知結果から差を算出することで計数可能であって、該発射された遊技球数よりも多くの遊技球数が１回の単位遊技において入球装置（入球口）に入球した場合（各入球領域の入球検知スイッチに検知された場合）に、その入球を無効とするとともに、エラー処理を行う。具体的には、当該エラーが生じた場合に各入球装置（入球口）の各種スイッチ及び入球検知機構を無効とするとともに、エラー用表示装置等によりエラー表示を行うものとすることができる。
【０１０５】
上記実施例の遊技機の賞態様として、遊技球（賞球）の払出し制御態様について説明する。当該実施例の遊技機においては、賞態様（得点）があった時点で遊技球の払出しが行われるものとされている。遊技球の払出しを行った後に役物作動口（得点増加装置作動口）２３への有効な入球が検知され、得点増加装置が作動した場合は、その作動時点において得点増加装置の作動による増加分の遊技球を払い出すものとされている。なお、この得点増加装置の作動による増加分の遊技球の払出しは、当該作動した単位遊技の１６個目の発射が終了した場合、又は１６個目の入球が検知された場合、若しくは当該作動した単位遊技の次の単位遊技が開始された場合に行うこともでき、さらには全ての遊技装置の作動終了が確認された場合に払出しを行うことも可能である。また、上記インターバル時間が終了した後に遊技球を払い出すことも可能であり、上記全ての遊技装置の作動が終了した後の所定時間（遊技確認時間）経過後に遊技球を払い出すことも可能である。
【０１０６】
次に、発射装置制御基板２０１（図１６参照）に接続された発射モータ９３は、発射位置に送り込まれた遊技球を遊技領域１１（図１参照）に打ち込むための発射ハンマを稼働させるモータであって、該モータ９３の作動を検知し外部出力させることができる。例えば、発射装置が作動中であることを検知する発射モータ検知スイッチを発射装置ユニット８（図２参照）に設け、該検知信号を主制御部１４０（図３参照）に送ることで発射装置が作動しているか否かを判断することが可能となり得る。また、発射モータ検知スイッチからの検知信号を試験端子３４２，３４３（図２０及び２１参照）から試験装置８０７（図３及び２０，２１参照）に出力させて、発射タイミングすなわち遊技の開始タイミングを判断することが可能となる。したがって、第三者検査機関による的確且つ迅速な試験を行うことが可能となり得る。
【０１０７】
以下、主制御部１４０から払出制御部１５０に送信される制御信号の内容について図面を参照しつつ説明する。送信側制御部としての主制御部１４０から送信される信号として図２３（主制御部１４０から賞球制御部１５０に送信される制御信号の一例を示す図）に示すように、発射停止解除信号、発射停止信号、ハンマ作動信号（打撃装置特別作動信号）があり、これら信号は受信側制御部としての賞球制御部１５０に送信され、該賞球制御部１５０から発射制御部２０１ａに所定のタイミングで送信されるものとされている。そして、これら賞球制御部１５０又は発射制御部２０１ａにおいて予め定められた時期に上記各信号が受信できなかった場合に、エラー検出を行うものとすることができる。ここで、発射停止解除信号は、１６個の遊技球が各入球検知スイッチ２５ａ，２１ｃ，２３ｃにて検知され、遊技領域に設けられた誘導図柄表示装置１７等の遊技装置の作動が終了した場合に送信されるものとされ、発射停止信号は、球送りカウントスイッチ９５（図８参照）にて１６個の遊技球が計数された場合に送信されるものとされている。また、ハンマ作動信号は、１６個の遊技球が発射された後に槌先球検知スイッチ９４（図８参照）にて遊技球が検知された場合に送信されるものとされている。このような各信号（発射制御信号）がそれぞれの送信時期と異なる不正確なタイミングで送信された場合にエラー検出するものとされている。
【０１０８】
上記のような発射制御信号の送信タイミングに関連するエラー検出の具体例を図２４を参照しつつ説明する。例えば、発射停止解除信号を賞球制御部１５０で受信した後に、発射停止信号を受信する前にハンマ作動信号を受信した場合にエラーを検出するものとされている（図２４▲２▼上段）。この場合、１６個の遊技球の発射が終了する前に賞球制御部１５０にてハンマ作動信号を受信したためにエラーとなる。すなわち、１６個の発射が終了したにも拘らず槌先球検知スイッチ９４（図８参照）にて遊技球が検知された場合に該遊技球のみを発射するために送信されるハンマ作動信号が、１６個の発射が終了していない場合に送信されたことによるエラーである。この場合のエラー処理としては、該エラーを主制御部１４０で検知し、当該遊技機に設けられたランプ、音声、表示等のエラー報知手段（例えば誘導図柄表示装置１７を使用可能）にてエラー報知し、当該遊技機を作動させるための電源を遮断させた後、電源を復帰させることより行うことが可能である。
【０１０９】
また、賞球制御部１５０が発射停止解除信号を受信する前に、発射停止信号又はハンマ作動信号を受信した場合にエラーを検出するものとすることができる（図２４▲３▼）。この場合、発射の停止が解除される前に、すなわち発射が許される前に発射停止信号又はハンマ作動信号が送信されたためにエラーとなる。具体的には、発射停止信号又はハンマ作動信号を受信してから所定時間経過後、発射停止解除信号が受信されない場合にエラー処理を行うものとすることができる。この場合のエラー処理としては、該エラーを賞球制御部１５０で検知し、当該遊技機に設けられたランプ、音声、表示等のエラー報知手段（例えば誘導図柄表示装置１７を使用可能）にてエラー報知し、当該遊技機を作動させるための電源を遮断させた後、電源を復帰させ発射停止解除信号を主制御部１４０から賞球制御部１５０に送信することより行うことが可能である。
【０１１０】
また、発射停止解除信号を受信し、発射停止信号を受信した後に、ファール球スイッチ１９７（図８参照）にて検知された遊技球数よりも多くの数の遊技球が球送りカウントスイッチ９５にて計数された場合にエラーを検知するものとすることができる。この場合、ファール球（発射した遊技球のうち、遊技領域に到達せずに外レール１０ｃ（図２２参照）から下皿部６に戻ってきた遊技球）よりも多くの遊技球を発射可能となる（すなわち１ゲームにおいて１６個よりも多くの遊技球が発射可能となる）ためにエラーとなる。この場合のエラー処理としては、該エラーを主制御部１４０で検知し、当該遊技機に設けられたランプ、音声、表示等のエラー報知手段（例えば誘導図柄表示装置１７を使用可能）にてエラー報知し、当該遊技機を作動させるための電源を遮断させた後、電源を復帰させることより行うことが可能である。
【０１１１】
次に、主制御部１４０から賞球制御部１５０に送信される制御信号のうち、賞球に関する信号について説明する。図２３に示すように、本実施例においては、賞球の制御内容は１０種類あり、賞球の払出しは１６球の払出しを単位としてその整数倍（１０倍まで）が払い出されるものとされている。その１０種類の払出しの処理プログラムは、該整数倍の払出数毎に払出制御コマンド（６０ｈ０１ｈ〜６０ｈ０Ａｈ）と対応付けて払出処理プログラム記憶手段（主制御部１４０のＲＯＭ４８２（図１４参照））に予め記憶されている。例えば賞態様があった場合は、主制御部１４０は該賞態様に応じて払出制御コマンド（６０ｈ０１ｈ〜６０ｈ０Ａｈ）のいずれかを賞球制御部１５０に送信し、賞球制御部１５０は送信された払出制御コマンドに対応する処理プログラムを上記払出処理プログラム記憶手段から読み出し、遊技球の払出しに関連する制御を行うものとされている。
【０１１２】
このように、本実施例の遊技機１においては、発射制御内容及び払出制御内容を含む制御プログラムが、制御コマンド（発射制御コマンド及び払出制御コマンド）と対応付けられて主制御部１４０に予め記憶されており、主制御部１４０は所定のタイミングで制御コマンドを賞球制御部１５０に送信するものとされている。さらに、発射制御コマンドは賞球制御部１５０から発射制御部２０１ａに送信されて、該発射制御部２０１ａは発射装置を各種態様にて作動させるものとされている。
【０１１３】
また、本実施例の遊技機１においては、図２３に示すように動作開始許可コマンドが、主制御部１４０から賞球制御部１５０に送信されるものとされている。例えば、電源入力時又は電断復旧時には、賞球制御部１５０に電源電圧が出力されるものとされており、主制御部１４０に電源電圧が出力される前（すなわち主制御部１４０の作動開始前）に賞球制御部１５０が電断前の記憶状態等により作動を開始してしまう場合があり、この場合、賞球払出しの管理が主制御部１４０側でできなくなってしまう場合がある。そこで、例えば主制御部１４０の起動後に主制御部１４０から賞球制御部１５０に上記動作開始許可コマンドを送信するものとすることにより、賞球制御部１５０側では、該動作開始許可信号を待って賞球払出しに関連する制御を行うことが可能となる。したがって、主制御部１４０において賞球払出しの管理を確実に行うことが可能となり、一層正確な遊技機の作動制御を行うことが可能となり得る。
【０１１４】
次に、主制御部１４０から図柄表示装置制御部１６０に送信されるコマンドについて説明する。図３０は、入球図柄表示装置２５の表示に関連するコマンドの一例を示す説明図である。なお、本実施例においては１６連入球口２４及び役物作動口２１，２３に遊技球が入球すると、その入球口及び役物作動口に対応して予め定められた入球図柄が表示されるものとされている。
【０１１５】
図３０に示すように、入球図柄表示装置２５の各入球図柄１〜１６を表示させるための、識別情報表示コマンドとしての図柄１〜１６表示コマンドは、各入球図柄１〜１６毎にコマンド記憶手段としての主制御部１４０のＲＡＭ４８１（図１４参照）に記憶されている。例えば、１６連入球口２４のいずれかに入球があると、各入球口１〜１６に対応した図柄１〜１６表示コマンドが、また役物作動口２１に入球があると図柄５表示コマンド及び図柄８表示コマンドが送信され、さらに役物作動口（得点増加装置作動口）２３に入球があると図柄８，９，１２，１３表示コマンドが主制御部１４０から図柄表示装置制御部１６０に送信される。このように、入球領域（１６連入球口２４又は役物作動口２１，２３）毎に予め表示される入球図柄が定められており、コマンド読出手段及び識別情報表示コマンド送信手段としての主制御部１４０は、入球領域における入球検知に基づいて該入球のあった入球領域に対応した図柄表示コマンドをＲＡＭ４８１（図１４参照）から読み出し、読み出した図柄表示コマンドを図柄表示装置制御部１６０に送信するものとされている。なお、この場合、送信禁止制御手段としての主制御部１４０により１ゲームにおいて一度送信した図柄表示コマンドは、当該ゲーム中に再び送信することが禁止されており、１ゲームの終了時すなわち上記全ての遊技装置の作動が終了した後の所定時間（遊技確認時間）経過後に、全入球図柄を消灯させるための、全識別情報表示解除コマンドとしての全図柄消灯コマンドが主制御部１４０から図柄表示装置制御部１６０に送信されるものとされている。
【０１１６】
さらに、電断復帰コマンドが主制御部１４０から図柄表示装置制御部１６０に送信されるものとされている。これは、停電発生等による電断時において、電源を復旧する場合に、電断復帰を示す電断復帰コマンドが主制御部１４０から図柄表示装置制御部１６０に送信されるものである。例えば、このような電断復帰コマンドが備えられていない場合、電断復帰後の当該ゲームにおいて受信する図柄表示コマンドが１６個に満たない等の不具合が生じエラー発生として認識してしまう場合が生じ得る。そこで、本実施例の電断復帰コマンドはこれを解決するものであって、電断復帰コマンドの受信により図柄表示装置制御部１６０は、電断復帰に係るゲームであることを認識可能となり、当該電断復帰のゲームにおける図柄表示コマンドの不足に基づくエラー発生処理を行わないエラー放置処理を行うものとされている。
【０１１７】
図３０に示したような図柄表示コマンドが設定された場合のコマンド送受信に関連するエラー態様について図３１を参照しつつ説明する。図３１は１ゲームの遊技開始から遊技終了までに主制御部１４０から送信されたコマンドが図柄表示装置制御部１６０にて受信されたか否かを示す説明図であって、図中○はコマンドが受信されたこと、△はコマンドの一部が受信されたこと、×は異常受信若しくはコマンドの全てが受信されなかったことを示す。
【０１１８】
例えば、図柄表示コマンドの全てを受信している場合は、全図柄消灯コマンドを受信するか否かに拘らず、エラーと認識せず正常動作を行うものとされている。また、図柄表示コマンドの一部のみを受信した場合も、全図柄消灯コマンドを受信するか否かに拘らず、エラーと認識せず正常動作を行うものとされている。なお、図柄表示コマンドの一部を受信し、全図柄消灯コマンドを受信した場合であって、受信した図柄表示コマンドの数が１ゲームにおける上限値である１６個未満の場合のみ、エラーと認識しエラー表示を行うものとされている。一方、図柄表示コマンドを受信せず、全図柄消灯コマンドを受信した場合には、エラーと認識され、図３２に示すようにランプ、音声、表示等の報知手段によりエラー報知（異常報知）によるエラー処理が行われ、一旦作動電源を断った後、又は次回のゲームを正常に終了した場合にエラー処理が解除されるものとされている。
【０１１９】
次に、図３３は、入球図柄表示装置２５の表示に関連するコマンドの一変形例を示す説明図である。この図３３に示す例の場合、各入球領域（１６連入球口２４の各入球口１〜１６及び役物作動口２１，２３）に対応して、図柄１〜１６表示コマンド及び役物１表示コマンド（役物作動口２１に対応）、役物２表示コマンド（役物作動口２３に対応）が、コマンド記憶手段としての主制御部１４０のＲＡＭ４８１（図１４参照）に記憶されている。すなわち、入球図柄表示装置２５の各入球図柄１〜１６を表示させるための図柄表示コマンドが、各入球領域毎にコマンド記憶手段としての主制御部１４０のＲＡＭ４８１（図１４参照）に記憶されている。
【０１２０】
例えば、１６連入球口２４のいずれかに入球があると、各入球口１〜１６に対応した図柄１〜１６表示コマンドが、また役物作動口２１に入球があると図柄５及び図柄８を表示するための役物１表示コマンドが、さらに役物作動口２３に入球があると図柄８，９，１２，１３を表示するための役物２表示コマンドが主制御部１４０から図柄表示装置制御部１６０に送信される。このように、入球領域（１６連入球口２４又は役物作動口２１，２３）毎に入球表示のための図柄表示コマンドが予め定められており、主制御部１４０は、入球領域における入球検知に基づいて該入球のあった入球領域に対応した図柄表示コマンドをＲＡＭ４８１（図１４参照）から読み出し、読み出した図柄表示コマンドを図柄表示装置制御部１６０に送信するものとされている。なお、この場合、識別情報表示コマンド送信手段としての主制御部１４０により１ゲームにおいて図柄表示コマンドは入球検知毎に逐一送信されるものとされており、つまり、当該ゲーム中に一度送信した表示コマンドについても再び送信されるものとされている。また、１ゲームの開始時に、該ゲームの開始を指示するための遊技開始コマンドが主制御部１４０から図柄表示装置制御部１６０に送信されるものとされており、さらに１ゲームの終了時すなわち上記全ての遊技装置の作動が終了した後の所定時間（遊技確認時間）経過後に、全入球図柄を消灯させるための全図柄消灯コマンドが主制御部１４０から図柄表示装置制御部１６０に送信されるものとされている。
【０１２１】
なお、この場合、図３４に示すように入球数情報送信手段としての主制御部１４０から図柄表示装置制御部１６０に入球数を示す入球数コマンドを送信可能とされている。これは、例えば停電等の電源断発生時等に、該発生時の入球領域への全入球数を図柄表示装置制御部１６０に指示するためのものであり、主制御部１４０には、１ゲームにおいて入球領域（１６連入球口２４又は役物作動口２１，２３）への遊技球の入球数を計数するカウンタと、１ゲームにおいて送信した図柄表示コマンドを記憶する送信済図柄表示コマンド記憶手段（ＲＡＭ４８１（図１４参照））とが備えられている。したがって、停電等の電断が検知された場合には主制御部１４０は電断エラー処理を行うとともに、電源復旧時には電源断時に表示されていた入球図柄の図柄表示コマンドを送信するとともに、入球数コマンドを前記カウンタを参照して送信するものとされている。
【０１２２】
また、このような図柄表示コマンドを採用することで、図柄表示装置制御部１６０において、受信した図柄表示コマンド数により入球領域（１６連入球口２４又は役物作動口２１，２３）に入球した遊技球の入球数を確認することが可能となる。遊技開始コマンド受信後から図柄表示コマンドを受信する毎に、当該図柄表示装置制御部１６０に設けられたカウンタに入球数を「１」加算し、１６個の入球検知により図柄表示コマンドを正常に受信したことを確認可能となり得る。
【０１２３】
図３３に示したような図柄表示コマンドが設定された場合のコマンド送受信に関連するエラー態様について図３５及び図３６を参照しつつ説明する。図３５は１ゲームの遊技開始から遊技終了までに主制御部１４０から送信されたコマンドが図柄表示装置制御部１６０にて受信されたか否かを示す説明図であって、図中○はコマンドが受信されたこと、△はコマンドの一部が受信されたこと、×は異常受信若しくはコマンドの全てが受信されなかったことを示す。また、図３５及び図３６に示した番号▲１▼〜▲６▼は、図３６のエラー処理と図３５に示したエラー事例とを対応付けるものである。
【０１２４】
例えば、図３５の▲１▼に示すように、遊技開始コマンドを受信し、図柄表示コマンド、全図柄消灯コマンドをこの順で受信した場合は正常動作を行う。図３５の▲２▼に示すように、遊技開始コマンドを受信していない、又は図柄表示コマンドを受信していない若しくは図柄表示コマンドを一部しか受信していない場合に、全図柄消灯コマンドを受信した場合には、エラーと認識するものとされている。この場合、図３６の▲２▼に示すように、ランプ、音声、表示等の報知手段によりエラー報知（異常報知）によるエラー処理が行われ、一旦作動電源を断った後、又は次回のゲームを正常に終了した場合にエラー処理が解除されるものとされている。
【０１２５】
また、図３５の▲３▼に示すように、遊技開始コマンドを受信し、且つ図柄表示コマンドを受信若しくは図柄表示コマンドを一部受信した場合であって、全図柄消灯コマンドを受信する前に次回のゲームの遊技開始コマンド又は図柄表示コマンドを一部でも受信した場合には、エラーと認識するものとされている。この場合、図３６の▲３▼に示すように、ランプ、音声、表示等の報知手段によりエラー報知（異常報知）によるエラー処理が行われ、一旦作動電源を断った後、又は次回のゲームを正常に終了した場合にエラー処理が解除されるものとされている。
【０１２６】
図３５の▲４▼に示すように、遊技開始コマンドを受信し、図柄表示コマンド及び／又は全図柄消灯コマンドを受信する前に次回のゲームの遊技開始コマンドを受信した場合には、エラーと認識するものとされている。この場合、図３６の▲４▼に示すように、ランプ、音声、表示等の報知手段によりエラー報知（異常報知）によるエラー処理が行われ、一旦作動電源を断った後、又は当該ゲーム若しくは次回のゲームを正常に終了した場合にエラー処理が解除されるものとされている。
【０１２７】
図３５の▲５▼に示すように、遊技開始コマンドを受信する前に、図柄表示コマンド若しくはその一部、及び／又は全図柄消灯コマンドを受信した場合には、エラーと認識するものとされている。この場合、図３６の▲５▼に示すように、ランプ、音声、表示等の報知手段によりエラー報知（異常報知）によるエラー処理が行われ、一旦作動電源を断った後、又は遊技開始コマンドを正常に受信した場合にエラー処理が解除されるものとされている。なお、図３５の▲６▼に示すように、遊技開始コマンド、図柄表示コマンド、全図柄消灯コマンドのいずれも受信していない場合にはエラー認識がされないものとされている。
【０１２８】
このように、主制御部１４０のＲＡＭ４８１において、入球図柄を表示させるための図柄表示コマンドが各入球図柄と対応付けして記憶されているため、入球図柄表示に関連する制御を単純化することが可能となる。また、入球領域（１６連入球口２４又は役物作動口２１，２３）と対応させて図柄表示コマンドを記憶させておくことで、入球のあった入球領域（１６連入球口２４又は役物作動口２１，２３）に対応する図柄表示コマンドを正確に読み出すことが可能となり得る。
【０１２９】
次に、本実施例の遊技機１においては、主制御部１４０から図柄表示装置制御部１６０に、１ゲーム中の遊技状態を示す遊技状態コマンドが送信されるものとされている。具体的には、図３８のタイミングチャートに示すように、遊技確認時間の経過後、遊技状態コマンドが遊技状態コマンド送信手段としての主制御部１４０から立上り信号として図柄表示装置制御部１６０に送信される。該遊技状態コマンドは、遊技確認時間の終了後から次の遊技確認時間まで、すなわち１ゲームの開始から終了まで、その立上り状態を継続する信号とされており、図柄表示装置制御部１６０にこの立上り信号が入力されると、図柄表示装置制御部１６０は１ゲームの継続中であることを判断する。また、図柄表示装置制御部１６０に対してこの立上り信号の入力がなくなると（信号が立ち下がると）、図柄表示装置制御部１６０は１ゲームの終了であることを判断する。なお、図３８においては、入球領域への入球があった場合に、その入球領域に対応して予め定められた入球図柄１〜１６の図柄表示コマンドが、主制御部１４０から図柄表示装置制御部１６０に逐一送信するものとされており、各入球図柄１〜１６の図柄表示コマンドが送信される。なお、試験装置８０７を接続した場合には、各入球図柄１〜１６の図柄表示コマンドが送信されると、試験装置８０７（図３参照）に対して入球図柄の表示信号たる入球図柄１〜１６信号が送信される。
【０１３０】
このような遊技状態コマンドを備えた遊技機１における各種エラーについて説明する。図３９は、図柄表示コマンドの一部が欠落した場合のタイミングチャートである。図中に示すように、図柄表示装置制御部１６０において、１６個目の入球に対応した図柄１４表示コマンドを受信する前に、遊技状態コマンドの入力が無くなった場合（遊技状態コマンドが立ち下がると）、エラー（異常）検知となり、例えば図柄表示装置エラー信号が試験装置８０７に送信される。
【０１３１】
図４０は、図柄表示コマンドの全てが欠落した場合のタイミングチャートである。図中に示すように、図柄表示装置制御部１６０において、図柄表示コマンドを受信する前に、遊技状態コマンドの入力が無くなった場合（遊技状態コマンドが立ち下がると）、エラー（異常）検知となり、例えば図柄表示装置エラー信号が試験装置８０７に送信される。図４１は、全図柄消灯コマンドが欠落した場合のタイミングチャートである。図中に示すように、図柄表示装置制御部１６０において、全図柄消灯コマンドを受信する前に、遊技状態コマンドの入力が無くなった場合（遊技状態コマンドが立ち下がると）、エラー（異常）検知となり、例えば図柄表示装置エラー信号が試験装置８０７に送信される。
【０１３２】
図４２は、図柄表示コマンドの一部と全図柄消灯コマンドが欠落した場合のタイミングチャートである。図中に示すように、図柄表示装置制御部１６０において、１６個目の入球に対応した図柄１４表示コマンドを受信する前、及び全図柄消灯コマンドを受信する前に、遊技状態コマンドの入力が無くなった場合（遊技状態コマンドが立ち下がると）、エラー（異常）検知となり、例えば図柄表示装置エラー信号が試験装置８０７に送信される。また、図４３は、全てのコマンドが欠落した場合のタイミングチャートである。図中に示すように、図柄表示装置制御部１６０において、遊技状態コマンドの入力があった後（遊技状態コマンドの立ち上がりが入力された後）、全てのコマンドが入力される前に、遊技状態コマンドの入力が無くなった場合（遊技状態コマンドが立ち下がると）、エラー（異常）検知となり、例えば図柄表示装置エラー信号が試験装置８０７に送信される。
【０１３３】
このように、主制御部１４０から送信される遊技状態コマンドにより、図柄表示装置制御部１６０が遊技状態を管理することが可能となる。すなわち、１ゲームの開始及び／又は終了を図柄表示装置制御部１６０にて把握可能となり、該１ゲームにおける各種コマンド（例えば図柄１〜１６表示コマンド、全図柄消灯コマンド）の取りこぼしを図柄表示装置制御部１６０にて検出することが可能となり得る。したがって、１６連の入球図柄表示装置を備えたアレンジボール遊技機において、該１６連の入球表示に関する信号の取りこぼしを防止ないし抑制することが可能となり、一層正確な表示制御を行うことが可能となり得る。
【０１３４】
以上、本発明の実施の形態を説明したが、本発明はこれに限定されるものではなく、また、各請求項に記載した範囲を逸脱しない限り、各請求項の記載文言に限定されず、当業者がそれらから容易に置き換えられる範囲にも及び、かつ、当業者の通常有する知識に基づく改良を適宜付加することができる。
【図面の簡単な説明】
【図１】本発明の一実施例たる遊技機の正面図。
【図２】図１の遊技機の裏面図。
【図３】図１の遊技機の電子制御装置の一例を示すブロック図。
【図４】音声出力装置制御基板に接続される各種遊技装置を示すブロック図。
【図５】ランプ出力装置制御基板に接続される各種遊技装置を示すブロック図。
【図６】図柄表示装置制御基板に接続される各種遊技装置を示すブロック図。
【図７】中継基板に接続される各種遊技装置を示すブロック図。
【図８】枠中継基板に接続される各種遊技装置を示すブロック図。
【図９】図３の電子制御装置におけるメインジョブの流れを示すフローチャート。
【図１０】ゲーム開始ジョブの流れを示すフローチャート。
【図１１】乱数更新ジョブの流れを示すフローチャート。
【図１２】図柄表示ジョブの流れを示すフローチャート。
【図１３】得点演算ジョブの流れを示すフローチャート。
【図１４】主制御部及び賞球制御部のＣＰＵの構成を示すブロック図。
【図１５】インターバルタイマセットジョブの流れを示すフローチャート。
【図１６】発射装置制御基板に接続される各種遊技装置を示すブロック図。
【図１７】誘導図柄表示ジョブの流れを示すフローチャート。
【図１８】電子制御装置の電源部における基板接続レイアウトの一例を示す回路図。
【図１９】電源監視回路の一例を示す回路図。
【図２０】主制御部と外部試験装置との接続状態の一例を示すブロック図。
【図２１】図２０の変形例を示すブロック図。
【図２２】図１の遊技機の上皿部内部の構成を示す正面模式図及びその部分透視図。
【図２３】主制御部から賞球制御部に送信されるコマンド内容の一例を示す図。
【図２４】図１の遊技機に発生する発射制御エラーの一例を示す図。
【図２５】変動パターン選択ジョブの流れの一例を示すフローチャート。
【図２６】発射制御ジョブの流れを示すフローチャート。
【図２７】電源ユニットの一変形例を示すブロック図。
【図２８】主基板電源制御部の構成の一例を示すブロック図。
【図２９】主基板電源制御部の構成の一変形例を示すブロック図。
【図３０】入球図柄表示装置の表示に関連するコマンドの一例を示す説明図。
【図３１】図３１の図柄表示コマンドを採用した場合のエラー態様の一例を示す説明図。
【図３２】図３１のエラーに対するエラー処理の一例を示す説明図。
【図３３】入球図柄表示装置の表示に関連するコマンドの一変形例を示す説明図。
【図３４】入球数コマンドの一例を示す説明図。
【図３５】図３３の図柄表示コマンドを採用した場合のエラー態様の一例を示す説明図。
【図３６】図３５のエラーに対するエラー処理の一例を示す説明図。
【図３７】図柄表示装置制御部を細分化した場合の一例を示す説明図。
【図３８】本実施例の遊技機の動作タイミングの一例を示すタイミングチャート。
【図３９】図柄表示コマンドの一部が欠落した場合の一例を示すタイミングチャート。
【図４０】図柄表示コマンドの全てが欠落した場合の一例を示すタイミングチャート。
【図４１】全図柄消灯コマンドが欠落した場合の一例を示すタイミングチャート。
【図４２】図柄表示コマンドの一部と全図柄消灯コマンドが欠落した場合の一例を示すタイミングチャート。
【図４３】全てのコマンドが欠落した場合の一例を示すタイミングチャート。
【符号の説明】
１  アレンジボール遊技機（遊技機）
１７  誘導図柄表示装置（可変表示装置）
２４  １６連入球口
２５  入球図柄表示装置（識別情報表示装置（入賞図柄表示装置））
１４０  主制御部（遊技制御手段、誘導増加装置、特別遊技発生装置、当否判定手段、賞態様増加装置）
１５０  賞球制御部（払出制御部）
１６０  図柄表示装置制御部（表示制御手段）
４８１  ＲＡＭ（記憶手段）
【図１】
0004670023.tif 000002
【図２】
0004670023.tif 000003
【図３】
0004670023.tif 000004
【図４】
0004670023.tif 000005
【図５】
0004670023.tif 000006
【図６】
0004670023.tif 000007
【図７】
0004670023.tif 000008
【図８】
0004670023.tif 000009
【図９】
0004670023.tif 000010
【図１０】
0004670023.tif 000011
【図１１】
0004670023.tif 000012
【図１２】
0004670023.tif 000013
【図１３】
0004670023.tif 000014
【図１４】
0004670023.tif 000015
【図１５】
0004670023.tif 000016
【図１６】
0004670023.tif 000017
【図１７】
0004670023.tif 000018
【図１８】
0004670023.tif 000019
【図１９】
0004670023.tif 000020
【図２０】
0004670023.tif 000021
【図２１】
0004670023.tif 000022
【図２２】
0004670023.tif 000023
【図２３】
0004670023.tif 000024
【図２４】
0004670023.tif 000025
【図２５】
0004670023.tif 000026
【図２６】
0004670023.tif 000027
【図２７】
0004670023.tif 000028
【図２８】
0004670023.tif 000029
【図２９】
0004670023.tif 000030
【図３０】
0004670023.tif 000031
【図３１】
0004670023.tif 000032
【図３２】
0004670023.tif 000033
【図３３】
0004670023.tif 000034
【図３４】
0004670023.tif 000035
【図３５】
0004670023.tif 000036
【図３６】
0004670023.tif 000037
【図３７】
0004670023.tif 000038
【図３８】
0004670023.tif 000039
【図３９】
0004670023.tif 000040
【図４０】
0004670023.tif 000041
【図４１】
0004670023.tif 000042
【図４２】
0004670023.tif 000043
【図４３】
0004670023.tif 000044